(57)【要約】【課題】ユーザからコンテンツのクリエイタへの寄付行為について、ユーザ及びクリエイタの意図をより適切に反映することを可能とする。【解決手段】コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する寄付金額分割部と、前記第１の部分に対応する金額、前記第２の部分に対応する金額、前記第１の分配比率及び前記第２の分配比率に基づいて、前記寄付金額の前記クリエイタの各々への分配額を算出する分配額算出部と、を備える、情報処理装置を提供する。【選択図】図４
2015049751.tif 000002
【特許請求の範囲】
【請求項１】
コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する寄付金額分割部と、
前記第１の部分に対応する金額、前記第２の部分に対応する金額、前記第１の分配比率及び前記第２の分配比率に基づいて、前記寄付金額の前記クリエイタの各々への分配額を算出する分配額算出部と、
を備える、情報処理装置。
【請求項２】
ユーザによる操作入力についての操作情報に基づいて、前記第１の分配比率を設定する第１分配比率設定部、
を更に備える、
請求項１に記載の情報処理装置。
【請求項３】
前記コンテンツと前記クリエイタとの関連性についての情報を少なくとも含む作品権利情報に基づいて、前記第２の分配比率を設定する第２分配比率設定部、
を更に備える、
請求項１に記載の情報処理装置。
【請求項４】
前記コンテンツに紐付けられている分割比率情報に基づいて前記分割比率を設定する分割比率設定部、
を更に備える、
請求項１に記載の情報処理装置。
【請求項５】
ユーザによる操作入力についての操作情報に基づいて前記寄付金額を設定する寄付金額設定部、
を更に備える、
請求項１に記載の情報処理装置。
【請求項６】
前記コンテンツが他のコンテンツであるオリジナルコンテンツに基づく二次創作作品である場合、前記前記第１の分配比率及び前記第２の分配比率は、当該オリジナルコンテンツに対する前記寄付金額の分配比率を含む、
請求項１に記載の情報処理装置。
【請求項７】
前記コンテンツと前記クリエイタとの関連性についての情報を少なくとも含む作品権利情報に基づいて、前記第２の分配比率を設定する第２分配比率設定部、
を更に備え、
前記作品権利情報は、前記コンテンツと前記オリジナルコンテンツとの関連性についての情報を更に含み、
前記第２分配比率設定部は、前記作品権利情報に基づいて、前記第２の分配比率のうち前記オリジナルコンテンツに対する前記寄付金額の分配比率を設定する、
請求項６に記載の情報処理装置。
【請求項８】
ユーザによる操作入力についての操作情報に基づいて、ユーザの希望分配額を前記各クリエイタへの分配額として仮に設定する希望分配額設定部と、
前記寄付金額と、前記分割比率と、前記第２の分配比率と、前記希望分配額と、に基づいて、前記第１の分配比率を設定する第１分配比率設定部と、
を更に備える、
請求項１に記載の情報処理装置。
【請求項９】
前記分配額算出部が前記分配額を算出する条件である分配条件をユーザが入力する分配条件入力画面の表示を制御する分配条件入力画面表示制御部、
を更に備え、
前記分配条件入力画面表示制御部は、前記寄付金額についての寄付金額情報と、前記第１の分配比率についての第１分配比率情報と、前記第２の分配比率についての第２分配比率情報と、前記分割比率についての分割比率情報と、の少なくともいずれかの情報を含む分配条件情報を、前記分配条件入力画面に表示させる、
請求項１に記載の情報処理装置。
【請求項１０】
前記分配条件入力画面表示制御部は、算出された前記分配額についての分配額情報を前記分配条件入力画面に更に表示させ、
前記分配額情報は、前記分配条件情報に基づいて更新される、
請求項９に記載の情報処理装置。
【請求項１１】
ユーザによる操作入力についての操作情報に基づいて、ユーザの希望分配額を前記各クリエイタへの分配額として仮に設定する希望分配額設定部、
を更に備え、
前記分配条件情報は、前記希望分配額についての希望分配額情報を含み、
前記分配条件入力画面表示制御部は、前記希望分配額情報を前記分配条件入力画面に更に表示させる、
請求項９に記載の情報処理装置。
【請求項１２】
前記分配条件入力画面表示制御部は、前記分配条件入力画面において、前記分配条件情報及び算出された前記分配額についての分配額情報を表の形式で表示させる、
請求項９に記載の情報処理装置。
【請求項１３】
前記分配条件入力画面表示制御部は、前記分配条件入力画面において、前記コンテンツと前記クリエイタとの関連性についての情報を少なくとも含む作品権利情報を、前記コンテンツ及び前記クリエイタの関連性を表す樹形図の形式で更に表示させる、
請求項９に記載の情報処理装置。
【請求項１４】
前記樹形図では、前記コンテンツを表すコンテンツアイコン及び前記クリエイタを表すクリエイタアイコンがノードに対応する部分に表示され、関連性を有する前記コンテンツアイコンと前記クリエイタアイコンとの間にリンクが表示される、
請求項１３に記載の情報処理装置。
【請求項１５】
前記樹形図においては、前記クリエイタへの分配額についての分配額情報が、前記クリエイタアイコンと関連付けて表示される、
請求項１４に記載の情報処理装置。
【請求項１６】
ユーザによる操作入力についての操作情報に基づいて、ユーザの希望分配額を前記各クリエイタへの分配額として仮に設定する希望分配額設定部、
を更に備え、
前記樹形図においては、前記希望分配額を入力するための希望分配額入力欄が、前記クリエイタアイコンと関連付けて表示される、
請求項１４に記載の情報処理装置。
【請求項１７】
前記樹形図においては、前記クリエイタアイコン及び前記クリエイタアイコンに対して表示される前記リンクが、前記クリエイタへの分配額に応じた大きさで表示される、
請求項１４に記載の情報処理装置。
【請求項１８】
前記クリエイタアイコンは、前記クリエイタへの分配額が大きいほど大きく表示され、前記リンクは、前記クリエイタへの分配額が大きいほど太く表示される、
請求項１７に記載の情報処理装置。
【請求項１９】
コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割することと、
前記第１の部分に対応する金額、前記第２の部分に対応する金額、前記第１の分配比率及び前記第２の分配比率に基づいて、前記寄付金額の前記クリエイタの各々への分配額をプロセッサにより算出することと、
を含む、情報処理方法。
【請求項２０】
コンピュータに、
コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する機能と、
前記第１の部分に対応する金額、前記第２の部分に対応する金額、前記第１の分配比率及び前記第２の分配比率に基づいて、前記寄付金額の前記クリエイタの各々への分配額を算出する機能と、
を実現させるための、プログラム。
【発明の詳細な説明】
【技術分野】
【０００１】
本開示は、情報処理装置、情報処理方法及びプログラムに関する。
【背景技術】
【０００２】
近年、映像及び／又は音声等から構成されるコンテンツを、ネットワークを介して多数の視聴者（ユーザ）に対して提供することが一般的に行われている。提供されたコンテンツを評価する１つの方法として、ユーザから当該コンテンツの制作者（クリエイタ）に対して寄付を行う技術が提案されている。例えば、特許文献１には、コンテンツ表示画面に寄付ボタンが設置され、ユーザによって当該寄付ボタンが選択されることにより、クリエイタに対する寄付行為が実現される技術が開示されている。
【先行技術文献】
【特許文献】
【０００３】
【特許文献１】特開２００１−３４４５３０号公報
【発明の概要】
【発明が解決しようとする課題】
【０００４】
一方、コンテンツの制作には複数のクリエイタが関わることがある。上記特許文献１に記載の技術では、コンテンツの制作に関わった複数のクリエイタに対して寄付を行う場合については考慮されておらず、ユーザ及びクリエイタの意図が適切に反映された寄付行為が実現されない可能性があった。
【０００５】
そこで、本開示では、ユーザからコンテンツのクリエイタへの寄付行為について、ユーザ及びクリエイタの意図をより適切に反映することが可能な、新規かつ改良された情報処理装置、情報処理方法及びプログラムを提案する。
【課題を解決するための手段】
【０００６】
本開示によれば、コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する寄付金額分割部と、前記第１の部分に対応する金額、前記第２の部分に対応する金額、前記第１の分配比率及び前記第２の分配比率に基づいて、前記寄付金額の前記クリエイタの各々への分配額を算出する分配額算出部と、を備える、情報処理装置が提供される。
【０００７】
また、本開示によれば、コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割することと、前記第１の部分に対応する金額、前記第２の部分に対応する金額、前記第１の分配比率及び前記第２の分配比率に基づいて、前記寄付金額の前記クリエイタの各々への分配額をプロセッサにより算出することと、を含む、情報処理方法が提供される。
【０００８】
また、本開示によれば、コンピュータに、コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する機能と、前記第１の部分に対応する金額、前記第２の部分に対応する金額、前記第１の分配比率及び前記第２の分配比率に基づいて、前記寄付金額の前記クリエイタの各々への分配額を算出する機能と、を実現させるための、プログラムが提供される。
【０００９】
本開示によれば、コンテンツに関連付けられた複数のクリエイタに対する寄付金額が、所定の分割比率に基づいて、第１の分配比率に基づいて分配される第１の部分と、第２の分配比率に基づいて分配される第２の部分と、に分割される。そして、第１の部分に対応する金額、第２の部分に対応する金額、第１の分配比率及び第２の分配比率に基づいて、寄付金額のクリエイタの各々への分配額が算出される。このように、本開示では、互いに独立した複数の分配比率に基づいて、寄付金額の各クリエイタへの分配額が決定されるため、複数の意図が反映された寄付金額の分配が可能となる。
【発明の効果】
【００１０】
以上説明したように本開示によれば、ユーザからコンテンツのクリエイタへの寄付行為について、ユーザ及びクリエイタの意図をより適切に反映することが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の第１の実施形態に係る寄付金額調停システムの概略構成を示すブロック図である。
【図２】本開示の第１の実施形態に係る寄付金額調停システムにおける分配額の決定方法について説明するための説明図である。
【図３】本開示の第１の実施形態に係る寄付金額調停システムにおける処理手順を示すフロー図である。
【図４】本開示の第１の実施形態に係る寄付金額調停システムを構成する各装置の機能構成を示す機能ブロック図である。
【図５】本開示の第１の実施形態に係る分配条件入力画面の一表示例を示す図である。
【図６Ａ】本開示の第１の実施形態に係る分配比率入力画面の一表示例を示す図である。
【図６Ｂ】本開示の第１の実施形態に係る分配比率入力画面の一表示例を示す図である。
【図７】図５に示す分配条件情報表示領域の変形例を示す図である。
【図８】本開示の第２の実施形態に係る寄付金額調停システムにおける処理手順を示すフロー図である。
【図９】本開示の第２の実施形態に係る寄付金額調停システムを構成する各装置の機能構成を示す機能ブロック図である。
【図１０Ａ】本開示の第２の実施形態に係る希望分配額入力画面の一表示例を示す図である。
【図１０Ｂ】本開示の第２の実施形態に係る希望分配額入力画面の一表示例を示す図である。
【図１１】本開示の第１の実施形態及び第２の実施形態に係る情報処理装置のハードウェア構成を説明するためのブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．第１の実施形態
１−１．システムの概要
１−２．システムにおける処理手順
１−３．装置の構成
１−４．分配条件入力画面の表示例
２．第２の実施形態
２−１．システムにおける処理手順
２−２．装置の構成
２−３．分配条件入力画面の表示例
３．ハードウェア構成
４．補足
【００１４】
＜１．第１の実施形態＞
［１−１．システムの概要］
本開示の第１の実施形態では、コンテンツが複数の視聴者（ユーザ）によって共有されるコンテンツ共有システムにおいて、ユーザからコンテンツの制作者（クリエイタ）に対して寄付がされる場合に、ユーザ側の意図とクリエイタ側の意図とが調停され、両者の意図を反映した寄付行為が行われる。本実施形態では、このような一連の処理を実現するためのシステムを寄付金額調停システムと呼称する。まず、図１を参照して、本開示の第１の実施形態に係る寄付金額調停システムの概要について説明する。図１は、本開示の第１の実施形態に係る寄付金額調停システムの概略構成を示すブロック図である。
【００１５】
図１を参照すると、本開示の第１の実施形態に係る寄付金額調停システム１は、クリエイタ端末１０と、ユーザ端末２０と、コンテンツ共有サーバ３０と、調停サーバ４０と、を備える。クリエイタ端末１０、ユーザ端末２０、コンテンツ共有サーバ３０及び調停サーバ４０は、有線又は無線のネットワーク５０によって、各種の情報を互いに送受信可能に接続される。なお、クリエイタ端末１０、ユーザ端末２０、コンテンツ共有サーバ３０及び調停サーバ４０は、いずれも後述する情報処理装置のハードウェア構成によって実現され得る。
【００１６】
クリエイタ端末１０は、例えば、ＰＣ（Ｐｅｒｓｏｎａｌ  Ｃｏｍｐｕｔｅｒ）、タブレット端末、スマートフォン、ゲーム機、メディアプレーヤ等の各種の端末装置であり得る。クリエイタ端末１０は、クリエイタが各種のコンテンツを制作することができるように、例えば動画編集ソフトや音楽編集ソフト等のコンテンツ制作ツールを実行可能に構成される。クリエイタは、クリエイタ端末１０を介して、自身が制作したコンテンツをコンテンツ共有システムに登録することができる。
【００１７】
ユーザ端末２０は、例えば、ＰＣ、タブレット端末、スマートフォン、ゲーム機、メディアプレーヤ等の各種の端末装置であり得る。ユーザ端末２０は、ユーザが各種のコンテンツを視聴することができるように、例えば動画再生ソフトや音楽再生ソフト等のソフトウェアを実行可能に構成される。ユーザは、ユーザ端末２０を介して、コンテンツ共有システムにアクセスし、クリエイタによって登録されたコンテンツを視聴することができる。
【００１８】
コンテンツ共有サーバ３０は、コンテンツ共有システムを統括的に管理し、当該システムにおける各種の処理を行う。例えば、コンテンツ共有サーバ３０は、クリエイタによって登録されたコンテンツを、当該クリエイタと紐付けて管理する。また、例えば、コンテンツ共有サーバ３０は、ユーザによる所望のコンテンツを視聴したい旨のリクエストをユーザ端末２０から受信し、当該コンテンツをユーザ端末２０に送信することができる。また、コンテンツ共有サーバ３０は、クリエイタ及びユーザのアカウント情報（ＩＤやパスワード等、個人を特定し得る情報）を管理し、例えば特定のコンテンツを特定のユーザにのみ送信する等の、アカウント情報を利用したコンテンツの管理を行ってもよい。
【００１９】
調停サーバ４０は、コンテンツ共有システムによって共有されているコンテンツのクリエイタに対してユーザが寄付を行う際に、ユーザ側の意図とクリエイタ側の意図との調停を行う。具体的には、調停サーバ４０は、コンテンツに関連付けられている複数のクリエイタに対する寄付金額を、ユーザによって指定され得る各クリエイタへの分配比率と、当該コンテンツを登録したクリエイタによって指定され得る各クリエイタへの分配比率と、に基づいて、各クリエイタに分配する処理を行う。
【００２０】
ここで、コンテンツ共有システムにおけるコンテンツとクリエイタとの関係について説明する。近年、動画共有プラットフォームの整備やコンテンツ制作ツールの進化により、プロのクリエイタだけでなくアマチュアのクリエイタが様々なコンテンツを制作することが容易になっている。例えば、歌声合成ソフトによる歌詞を伴う音楽コンテンツの制作や、３Ｄモデルを用いた動画コンテンツの制作ソフトによる独自のキャラクターのダンスアニメの制作等が、アマチュアのクリエイタによって手軽に行えるようになっている。また、このようなアマチュアのクリエイタによって制作されたコンテンツが、ネットワークを介して多数のユーザによって視聴され得る、各種のコンテンツ共有システムが提供されている。
【００２１】
アマチュアのクリエイタによって制作されたコンテンツのことを、以下の説明では、ＵＧＭ（Ｕｓｅｒ  Ｇｅｎｅｒａｔｅｄ  Ｍｅｄｉａ）とも呼称することとする。ＵＧＭにおいては、例えば録音機器を準備する人、作曲を行う人、作詞を行う人等、複数のクリエイタがその制作に関わっている場合がある。また、ＵＧＭにおいては、例えば、あるクリエイタが制作した歌詞を伴う音楽コンテンツを他のクリエイタが歌い、そのコンテンツに対して更に他のクリエイタがＰＶ（Ｐｒｏｍｏｔｉｏｎ  Ｖｉｄｅｏ）を制作する等、連鎖的な創作（いわゆる二次創作）が多く見られている。このように、ある作品をもとに別の作品を制作するという行為は、日本のみならず、欧米でも例えばパロディーという形式で広く行われている。
【００２２】
一部の人気のあるＵＧＭは、例えばＣＤ（Ｃｏｍｐａｃｔ  Ｄｉｓｃ）として販売されたり、ゲーム内の音楽として用いられたりして、商品として流通されている。商品化されたコンテンツについては、ユーザは、例えば当該ＣＤや当該ゲームを購入することにより、当該コンテンツのクリエイタを間接的に応援することができる。しかしながら、商品化されるコンテンツはごく一部であって、多くのコンテンツは商品として流通することはない。このような商品化されないコンテンツに対しては、例えば電子メール等によってそのクリエイタに対して応援のメッセージを送ることはできるが、ユーザが実質的にクリエイタの収入につながる支援を行うことは困難であった。そこで、ユーザがクリエイタの収入につながる支援をより直接的に行うことが可能な技術が求められていた。
【００２３】
上記事情を鑑みて、コンテンツ共有システムの提供者やユーザからコンテンツのクリエイタに対して奨励金や寄付金を送付し、当該クリエイタを金銭的に支援する技術が提案されている。例えば、再生回数等から算出されるコンテンツの人気度に応じて、ユーザのコンテンツ共有システムの利用料金の一部がクリエイタに還元される技術が提案されている。また、例えば上記特許文献１のように、コンテンツ表示画面に寄付ボタンが設置され、ユーザによって当該寄付ボタンが選択されることにより、クリエイタに対する寄付行為が実現される技術が提案されている。
【００２４】
しかしながら、これらの既存の技術においては、寄付行為の対象はコンテンツであった。よって、例えばコンテンツが複数のクリエイタによって制作されたものである場合、その中の特定のクリエイタに対して特に多くの寄付を行いたいといったような、ユーザの意図を反映した寄付を行うことは困難であった。また、コンテンツが複数のクリエイタによって制作されたものである場合、クリエイタ側には、コンテンツの制作における貢献度に応じた寄付金の分配をクリエイタ間において行いたいという要望がある。更に、コンテンツが二次創作品である場合には、当該コンテンツ（以下、二次創作品であるコンテンツのことを子コンテンツとも呼称する。）の元となったコンテンツ（以下、オリジナルコンテンツ又は親コンテンツとも呼称する。）のクリエイタに対しても、ユーザ側の意図及び子コンテンツのクリエイタ側の意図が反映された寄付金の分配が行われることが望ましい。既存の技術では、寄付に対するこれらの要望に応えることは困難であった。
【００２５】
そこで、本実施形態においては、ユーザがクリエイタに対して寄付を行う際に、調停サーバ４０によって、ユーザ側の意図とクリエイタ側の意図との調停が行われる。具体的には、調停サーバ４０において、ユーザが寄付した寄付金額が、所定の分割比率に基づいて第１の部分と第２の部分とに分割される。そして、第１の部分に対応する金額がユーザが意図する各クリエイタへの分配比率（以下、第１の分配比率とも呼称する。）に基づいて分配され、第２の部分に対応する金額がクリエイタが意図する各クリエイタへの分配比率（以下、第２の分配比率とも呼称する。）に基づいて分配されることにより、各クリエイタへの分配額が決定される。
【００２６】
図２を参照して、各クリエイタへの分配額の決定方法について説明する。図２は、本開示の第１の実施形態に係る寄付金額調停システム１における分配額の決定方法について説明するための説明図である。
【００２７】
図２に示す例では、コンテンツは複数のクリエイタによって制作されている。また、コンテンツは二次創作品であり、親コンテンツが存在している。ここで、本実施形態では、ユーザによる寄付の対象はコンテンツのクリエイタであり、ユーザはコンテンツを制作する複数のクリエイタに対して寄付金額を指定し、その寄付金額が各クリエイタに分配される。従って、ユーザが寄付金額を指定する段階では、便宜上、ユーザがコンテンツに対して寄付金額を指定しているとみなすことができる。以下の説明では、ユーザによる寄付の対象とみなすことができるコンテンツのことを対象コンテンツとも呼称する。
【００２８】
図２を参照すると、まず、ユーザからの寄付金額が、所定の分割比率によって第１の部分Ａと第２の部分Ｂとに分割される。当該分割比率は、例えば当該コンテンツを登録したクリエイタによって指定され得る。
【００２９】
次いで、第１の部分に対応する金額及び第２の部分に対応する金額が、所定の分配比率に基づいて分配される。図２に示す例では、第１の部分Ａが、ユーザによって指定され得る第１の分配比率に基づいて、子コンテンツ（すなわち、対象コンテンツ）への分配部分Ａ１と親コンテンツへの分配部分Ａ２とに分配される。同様に、第２の部分Ｂが、クリエイタによって指定され得る第２の分配比率に基づいて、子コンテンツへの分配部分Ｂ１と親コンテンツへの分配部分Ｂ２とに分配される。
【００３０】
次いで、対象コンテンツへの分配部分Ａ１、Ｂ１が、所定の分配比率に基づいて更に分配される。図２に示す例では、対象コンテンツへの分配部分Ａ１が、ユーザによって指定され得る第１の分配比率に基づいて、対象コンテンツの各クリエイタへの分配部分Ａ１１、Ａ１２、Ａ１３に分配される。同様に、対象コンテンツへの分配部分Ｂ１が、例えばクリエイタによって指定され得る第２の分配比率に基づいて、対象コンテンツの各クリエイタへの分配部分Ｂ１１、Ｂ１２、Ｂ１３に分配される。対象コンテンツの各クリエイタには、Ａ１１とＢ１１とが足し合わされた金額、Ａ１２とＢ１２とが足し合わされた金額、Ａ１３とＢ１３とが足し合わされた金額が、それぞれ分配される。
【００３１】
このように、本実施形態においては、コンテンツに関連付けられた複数のクリエイタに対する寄付金額が、例えばクリエイタによって指定される分割比率に基づいて、第１の分配比率に基づいて分配される第１の部分と、第２の分配比率に基づいて分配される第２の部分と、に分割される。そして、第１の部分が第１の分配比率に基づいて各クリエイタに分配され、第２の部分が第２の分配比率に基づいて各クリエイタに分配される。ここで、第１の分配比率は、例えばユーザによって指定され、第２の分配比率は、例えばクリエイタによって指定される。従って、本実施形態においては、ユーザ側の意図とクリエイタ側の意図とがより適切に反映された寄付金額の分配が実現され得る。また、本実施形態では、対象コンテンツが二次創作品である場合、第１の分配比率及び第２の分配比率は、親コンテンツへの分配比率も含んでいてもよい。更に、図２に示す例では明示していないが、第１の分配比率及び第２の分配比率は、親コンテンツの各クリエイタへの分配比率も含んでいてもよい。よって、親コンテンツのクリエイタまで対象とする寄付においても、ユーザ側の意図とクリエイタ側の意図とがより適切に反映され得る。
【００３２】
ここで、以上説明したように、本実施形態では、各クリエイタに対する分配額は、寄付金額、分割比率、第１の分配比率及び第２の分配比率に基づいて決定され得る。寄付金額、分割比率、第１の分配比率及び第２の分配比率は、各クリエイタへの分配額を決定するための条件（以下、分配条件とも呼称する。）であると言える。本実施形態では、分配条件において、寄付金額及び第１の分配比率はユーザによって指定され得る。従って、寄付金額及び第１の分配比率のことをユーザ側分配条件とも呼称する。また、分配条件において、分割比率及び第２の分配比率はクリエイタによって指定され得る。従って、分割比率及び第２の分配比率のことをクリエイタ側分配条件とも呼称する。
【００３３】
なお、本実施形態では、ユーザによるクリエイタへの寄付は、実際の金銭ではなく、寄付金額調停システム１によって提供される仮想通貨又はポイント等の授受によって行われ得る。従って、図２を参照して説明した寄付金額や分配額は、このような仮想通貨又はポイントを意味していてもよく、寄付金額の分割処理や分配処理は、仮想通貨又はポイントに対して行われる処理であってよい。
【００３４】
［１−２．システムにおける処理手順］
次に、図３を参照して、図１に示す寄付金額調停システム１において行われる各種の情報処理の処理手順について説明する。図３は、本開示の第１の実施形態に係る寄付金額調停システム１における処理手順を示すフロー図である。図３では、クリエイタ端末１０、ユーザ端末２０、コンテンツ共有サーバ３０及び調停サーバ４０における各種の情報処理が、処理が行われる時系列に沿って順に記載されている。なお、各装置間の情報の送受信は、図１に示すネットワーク５０を介して、各装置が備える通信装置（図１及び後述する図４では図示せず。）によって行われ得る。
【００３５】
本実施形態に係る寄付金額調停システム１では、まず、クリエイタ端末１０によって、コンテンツ共有サーバ３０にコンテンツが登録される（ステップＳ１０１）。また、クリエイタ端末１０によって、当該コンテンツについての作品権利情報及び分割比率情報が調停サーバ４０に登録される（ステップＳ１０３）。当該作品権利情報及び当該分割比率情報は、ステップＳ１０１で登録されたコンテンツと紐付けられている。ここで分割比率情報とは、上述した分割比率についての情報のことであり、例えばコンテンツを登録したクリエイタによって指定され得る。
【００３６】
また、作品権利情報は、クリエイタ間におけるコンテンツの権利関係についての情報であり、コンテンツとクリエイタとの関連性についての情報を少なくとも含む。例えば、作品権利情報は、当該コンテンツの制作に携わったクリエイタについての情報を含む。また、コンテンツが二次創作品である場合には、作品権利情報には、コンテンツ間の引用関係についての情報が含まれてもよい。例えば作品権利情報には、当該コンテンツの親コンテンツ及び親コンテンツのクリエイタについての情報が含まれてもよい。また、例えば、作品権利情報には、当該コンテンツを元とする子コンテンツ（すなわち、対象としているコンテンツを引用して制作された他のコンテンツ）及び当該子コンテンツのクリエイタについての情報が含まれてもよい。また、作品権利情報には、クリエイタとコンテンツとの関連性とともに、当該コンテンツを登録したクリエイタによって指定され得る、これらのクリエイタに対する分配比率（上述した第２の分配比率）についての情報が含まれてもよい。第２の分配比率には、対象としているコンテンツの親コンテンツや子コンテンツのクリエイタに対する分配比率が含まれていてもよい。
【００３７】
次いで、ユーザ端末２０によって、コンテンツ共有サーバ３０に対してコンテンツのリクエストが送信される（ステップＳ１０５）。コンテンツ共有サーバ３０は、当該リクエストに応じて、ユーザが所望するコンテンツをユーザ端末２０に対して送信する（ステップＳ１０７）。ユーザは、ユーザ端末２０を介して、コンテンツ共有サーバ３０から送信されたコンテンツを視聴することができる。本実施形態では、ステップＳ１０７においてユーザ端末２０に送信されたコンテンツのクリエイタに対してユーザによって寄付が行われ得る。すなわち、ステップＳ１０７においてユーザ端末２０に送信されたコンテンツが上述した対象コンテンツであり得る。なお、ステップＳ１０５及びステップＳ１０７に示す処理においては、既存の一般的なコンテンツ共有システムにおけるコンテンツのリクエスト及びコンテンツの送受信の処理が適用され得る。
【００３８】
次いで、コンテンツ共有サーバ３０は、ステップＳ１０７でユーザ端末２０に対して送信したコンテンツについての情報を調停サーバ４０に送信する（ステップＳ１０９）。ステップＳ１０９でコンテンツ共有サーバ３０から調停サーバ４０に送信される情報は、例えば当該コンテンツに付された登録番号等、当該コンテンツを特定し得る情報である。このように、本実施形態では、調停サーバ４０はコンテンツを保存、管理しなくてもよく、コンテンツ共有サーバ３０からコンテンツを特定し得る情報を受信することにより、ユーザによって寄付が行われ得る対象コンテンツを特定してもよい。ただし、本実施形態はかかる例に限定されず、寄付金額調停システム１にコンテンツ共有システムが含まれていてもよく、調停サーバ４０がコンテンツ共有サーバ３０の機能を併せ持っていてもよい。
【００３９】
次いで、調停サーバ４０は、クリエイタ側分配条情報（すなわち、作品権利情報及び分割比率情報）に基づいて分配条件を設定する（ステップＳ１１１）。調停サーバ４０は、ステップＳ１０９でコンテンツについての情報を受信しているため、当該コンテンツに紐付けられている作品権利情報及び分割比率情報に基づいて分配条件を設定することができる。ステップＳ１１１では、分配条件として、クリエイタ側分配条件である分割比率及び第２の分配比率が設定される。なお、ステップＳ１１１における処理は、例えば後述する調停サーバ４０の分配条件設定部４２１によって行われ得る。
【００４０】
次いで、調停サーバ４０は、クリエイタ側の分配条件についての情報（クリエイタ側分配条件情報）をユーザ端末２０に送信する（ステップＳ１１３）。クリエイタ側分配条件情報には、例えば、分割比率についての分割比率情報及び第２の分配比率についての第２分配比率情報が含まれる。
【００４１】
次いで、ユーザ端末２０には、受信した分割比率情報及び第２分配比率情報を含む分配条件入力画面が表示される（ステップＳ１１５）。また、ユーザによって当該分配条件入力画面を介してユーザ側分配条件が入力される（ステップＳ１１７）。ユーザ端末２０は、ユーザによって入力されたユーザ側分配条件についての情報（ユーザ側分配条件情報）を調停サーバ４０に送信する（ステップＳ１１９）。ユーザ側分配条件情報は、例えば、寄付金額についての寄付金額情報及び第１の分配比率についての第１分配比率情報を含む。なお、以下の説明では、分配条件についての情報のことを分配条件情報とも呼称する。分配条件情報は、ユーザ側分配条件情報とクリエイタ側分配条件情報とを足し合わせた概念であり得る。
【００４２】
ここで、ステップＳ１１５で表示される分配条件入力画面は、ユーザが分配条件を入力するためのＧＵＩ（Ｇｒａｐｈｉｃａｌ  Ｕｓｅｒ  Ｉｎｔｅｒｆａｃｅ）における表示画面であってよい。分配条件入力画面には、クリエイタ側分配条件情報である分割比率情報及び第２分配比率情報が表示されるとともに、例えばユーザ側分配条件である寄付金額及び第１の分配比率を入力する入力欄が設けられる。ユーザは、分配条件入力画面において、分割比率情報及び第２分配比率情報を参照しながら、寄付金額及び第１の分配比率を入力する操作を行うことができる。なお、分配条件入力画面の表示は、例えば後述する調停サーバ４０の分配条件入力画面表示制御部４２９によって制御されてよい。分配条件入力画面の具体例については、下記［１−４．分配条件入力画面の表示例］で詳しく説明する。
【００４３】
次いで、調停サーバ４０は、ユーザ側分配条件情報に基づいて分配条件を設定する（ステップＳ１２１）。ステップＳ１２１では、分配条件として、ユーザ側分配条件である寄付金額及び第１の分配比率が設定される。ステップＳ１１１において、クリエイタ側分配条件は既に設定されているため、ステップＳ１２１における処理によって、分配条件として、寄付金額、分割比率、第１の分配比率及び第２の分配比率が設定されたこととなる。なお、ステップＳ１２１における処理は、例えば後述する調停サーバ４０の分配条件設定部４２１によって行われ得る。
【００４４】
調停サーバ４０は、設定された分配条件に基づいて各クリエイタへの分配額を算出する（ステップＳ１２３）。具体的には、ステップＳ１２３においては、図２を参照して説明した方法を用いて各クリエイタへの分配額が算出されてよい。なお、ステップＳ１２３に示す処理は、例えば後述する調停サーバ４０の寄付金額分割部４２７及び分配額算出部４２８によって行われ得る。
【００４５】
次いで、調停サーバ４０は、算出された各クリエイタへの分配額をユーザ端末２０に対して提示する（ステップＳ１２５）。具体的には、調停サーバ４０は、分配条件入力画面に分配額についての分配額情報を表示させることによって分配額の提示を行うことができる。ここで、ユーザは、分配条件入力画面において、算出結果である分配額情報を参照しながら、寄付金額及び第１の分配比率を入力する操作を再度行うことができる。すなわち、本実施形態においては、図３に示すステップＳ１１５〜ステップＳ１２５における処理が繰り返し行われてもよい。このように、ユーザは、分配条件入力画面に表示される分配額情報を参照しながら、入力する内容を変更することにより、所望の分配額が実現され得る分配条件を決定することができる。また、本実施形態では、分配条件入力画面に、所定の期間内における各クリエイタへの分配額の積算値が表示されてもよい。当該積算値には、例えば他のユーザによって支払われた寄付金額の分配額が含まれる。ユーザは、各クリエイタに対して今までに支払われている分配額の積算値についての情報を参照しながら、分配条件を入力することができる。
【００４６】
ユーザ側の分配条件が確定し、各クリエイタへの分配額が決定した場合、調停サーバ４０からクリエイタ端末１０に最終的な分配額が通知される（ステップＳ１２７）。クリエイタには、分配額とともに、寄付を行ったユーザについての情報や当該ユーザからクリエイタへのメッセージ等が通知されてもよい。
【００４７】
以上、図３を参照して、寄付金額調停システム１において行われる各種の情報処理の処理手順について説明した。以上説明したように、本実施形態においては、ユーザ側分配条件情報とクリエイタ側分配条件情報とに基づいて、各クリエイタへの分配額を決定するための分配条件が設定される。従って、ユーザ側の意図とクリエイタ側の意図とがより適切に反映された寄付金額の分配が実現され得る。
【００４８】
［１−３．装置の構成］
次に、図４を参照して、本開示の第１の実施形態に係る寄付金額調停システム１を構成する各装置の機能構成について説明する。図４は、本開示の第１の実施形態に係る寄付金額調停システム１を構成する各装置の機能構成を示す機能ブロック図である。なお、図４においては、寄付金額調停システム１を構成する装置のうち、クリエイタ端末１０及びコンテンツ共有サーバ３０については図示を省略し、ユーザ端末２０及び調停サーバ４０のみを図示している。クリエイタ端末１０及びコンテンツ共有サーバ３０は、図１及び図３を参照して説明した各処理を実行可能なように構成されればよく、例えば一般的なコンテンツ共有システムの管理サーバや、一般的な情報処理装置の機能構成によって実現され得る。また、図４において図示されている機能構成は本実施形態の説明のために簡略化されており、各装置は図示されていない機能構成をさらに含んでもよい。図示されていない機能構成は、各装置の一般的な機能構成として既に知られたものであり得るため、詳細な説明は省略する。例えば、ユーザ端末２０と調停サーバ４０との間の各種の情報の送受信は、各装置が備える通信装置（図示せず。）によって、有線又は無線のネットワーク（図示せず。）を介して行われてもよい。
【００４９】
まず、ユーザ端末２０の機能構成について説明する。図４を参照すると、ユーザ端末２０は、操作部２１０、表示部２２０及び制御部２３０を備える。
【００５０】
操作部２１０は、ユーザによる各種の操作入力が行われる入力インターフェースである。ユーザは、操作部２１０を介して、ユーザ端末２０に対して各種の情報や指示を入力することができる。操作部２１０は、例えばマウス、キーボード、タッチパネル等の各種の入力デバイスによって構成される。操作部２１０は、ユーザによる操作入力についての情報である操作情報を後述する制御部２３０の操作情報取得部２３１に提供する。
【００５１】
表示部２２０は、各種の情報をテキスト、画像、図表、グラフ等多様な形式で表示画面に表示することにより、当該情報をユーザに対して視覚的に通知する出力インターフェースである。表示部２２０は、例えばＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ等の各種の表示装置によって構成される。なお、操作部２１０がタッチパネルを含む場合には、操作部２１０と表示部２２０とは一体的に構成されてもよい。本実施形態では、表示部２２０は、後述する制御部２３０の表示制御部２３２によってその表示が制御される。例えば、表示部２２０は、表示制御部２３２からの制御により、上述した分配条件入力画面を表示する。また、表示部２２０は、表示制御部２３２からの制御により、コンテンツ共有サーバ３０から送信されるコンテンツが再生される再生画面を表示してもよい。
【００５２】
制御部２３０は、ユーザ端末２０において行われる各種の処理を制御する。制御部２３０は、操作情報取得部２３１及び表示制御部２３２を有する。これらの機能を含む制御部２３０の機能は、例えばＣＰＵ（Ｃｅｎｔｒａｌ  Ｐｒｏｃｅｓｓｉｎｇ  Ｕｎｉｔ）等のプロセッサがメモリに格納されたプログラムに従って動作されることにより実現される。
【００５３】
操作情報取得部２３１は、操作部２１０を介して入力される、ユーザによる操作入力についての情報である操作情報を取得する。当該操作情報は、例えば、ＧＵＩとして表示される各種のアイコンに対する移動や選択等の操作を示す情報又はユーザによって入力された文字情報を含み得る。ここで、ＧＵＩとして表示される各種のアイコンに対する移動や選択等の操作は、例えば操作部２１０がマウス等のポインティングデバイスを含む場合にはＧＵＩに表示されるポインタ（カーソル）等の操作子を介して実行され得る。また、操作部２１０がタッチパネルを含む場合には、ユーザの指等による接触によって直接的にアイコンに対する移動や選択等の操作が実行され得る。本実施形態においては、操作情報取得部２３１は、分配条件入力画面においてユーザによって入力されるユーザ側分配条件情報（例えば、寄付金額情報及び第１分配比率情報）を操作情報として取得する。操作情報取得部２３１は、取得したユーザ側分配条件情報を、後述する調停サーバ４０の分配条件設定部４２１に送信する。また、操作情報取得部２３１は、ユーザがコンテンツ共有サーバ３０に登録されているコンテンツのうちのいずれかを選択した旨の情報を取得し、当該コンテンツに対するリクエストをコンテンツ共有サーバ３０に送信することができる。
【００５４】
表示制御部２３２は、表示部２２０を制御し、表示部２２０に各種の情報を表示させる。本実施形態では、表示制御部２３２は、分配条件入力画面を表示部２２０に表示させる。なお、上述したように、分配条件入力画面の表示は、後述する調停サーバ４０の分配条件入力画面表示制御部４２９によって制御され得る。表示制御部２３２は、分配条件入力画面表示制御部４２９から送信される各種の情報に基づいて、分配条件入力画面を表示部２２０に表示させることができる。また、表示制御部２３２は、コンテンツ共有サーバ３０から送信されたコンテンツが再生される再生画面を表示させることができる。なお、表示制御部２３２は、例えば操作情報取得部２３１によって取得される操作情報に基づいて、ＧＵＩにおけるポインタの表示を移動させる等の、一般的な情報処理装置において行われる表示制御を更に行ってもよい。
【００５５】
次に、調停サーバ４０の機能構成について説明する。調停サーバ４０は、記憶部４１０及び制御部４２０を備える。
【００５６】
記憶部４１０は、調停サーバ４０において処理される各種の情報を記憶する記憶手段である。記憶部４１０は、制御部４２０における各種の処理に用いられる情報及び制御部４２０における各種の処理の結果を記憶する。制御部４２０は、記憶部４１０に格納されている各種の情報を取得し、当該情報を利用して各処理を行うことができる。記憶部４１０は、例えばＨＤＤ（Ｈａｒｄ  Ｄｉｓｋ  Ｄｒｉｖｅ）等の磁気記憶デバイス、半導体記憶デバイス、光記憶デバイス等の各種の記憶デバイスによって構成される。本実施形態では、記憶部４１０は、作品権利情報及び分割比率情報を記憶する。また、記憶部４１０は、所定の期間内に支払われた各クリエイタへの分配額情報を履歴として記憶していてもよい。作品権利情報及び分割比率情報は、例えばクリエイタ端末１０を介してクリエイタによって、コンテンツ共有サーバ３０に登録されたコンテンツと紐付けられて格納され得る。また、各クリエイタへの分配額情報の履歴は、後述する分配額算出部４２８による算出結果が所定の期間蓄積されることによって記憶され得る。なお、本実施形態はかかる例に限定されず、作品権利情報には、例えばコンテンツを視聴したユーザからの情報が反映されてもよい。また、クリエイタ及び／又はユーザによって作品権利情報が登録される際には、寄付金額調停システム１及び／又はコンテンツ共有システムの提供者によって、その内容が妥当かどうかの検証が行われてもよい。
【００５７】
制御部４２０は、調停サーバ４０において行われる各種の処理を制御する。制御部４２０は、分配条件設定部４２１、寄付金額分割部４２７、分配額算出部４２８及び分配条件入力画面表示制御部４２９を有する。これらの機能を含む制御部４２０の機能は、例えばＣＰＵ等のプロセッサがメモリに格納されたプログラムに従って動作されることにより実現される。
【００５８】
分配条件入力画面表示制御部４２９は、ユーザ端末２０の表示部２２０に表示される分配条件入力画面の表示を制御する。具体的には、分配条件入力画面表示制御部４２９は、分配条件入力画面に表示され得る各種の情報をユーザ端末２０の表示制御部２３２に送信することにより、表示制御部２３２を介して分配条件入力画面の表示を制御する。分配条件入力画面に表示され得る各種の情報とは、例えば分配条件情報及び分配額情報であってよい。このように、本実施形態では、分配条件入力画面表示制御部４２９は、分配条件入力画面において、分配条件情報及び分配額情報の表示を制御しているとも言える。
【００５９】
分配条件設定部４２１は、各クリエイタへの分配額を決定するための条件である分配条件を設定する。本実施形態では、分配条件設定部４２１の機能は更に細分化され得る。図４に示すように、分配条件設定部４２１は、分割比率設定部４２２、第２分配比率設定部４２３、寄付金額設定部４２４及び第１分配比率設定部４２５を有する。
【００６０】
分割比率設定部４２２及び第２分配比率設定部４２３はクリエイタ側分配条件を設定する。分割比率設定部４２２は、記憶部４１０に記憶されている分割比率情報に基づいて、ユーザによって寄付が行われ得る対象コンテンツについて分割比率を設定する。また、第２分配比率設定部４２３は、記憶部４１０に格納されている作品権利情報に基づいて、対象コンテンツについて第２の分配比率を設定する。ここで、図３を参照して説明したように、作品権利情報には、対象コンテンツと他のコンテンツとの引用関係についての情報が含まれてもよく、対象コンテンツと引用関係にある他のコンテンツ（例えば対象コンテンツの親コンテンツ）に対する分配比率についての情報が含まれてもよい。第２分配比率設定部４２３は、作品権利情報に含まれるこれらの情報に基づいて、親コンテンツ等の対象コンテンツと引用関係にある他のコンテンツに対する分配比率も含めて第２の分配比率を設定することができる。なお、第２分配比率設定部４２３は、より詳細に、親コンテンツ等の対象コンテンツと引用関係にある他のコンテンツの各クリエイタに対する分配比率も含めて第２の分配比率を設定してもよい。
【００６１】
ここで、図３を参照して説明したように、ユーザのリクエストに応じてコンテンツ共有サーバ３０からユーザ端末２０に送信されたコンテンツについての情報が、コンテンツ共有サーバ３０から調停サーバ４０に送信されてよい。分割比率設定部４２２及び第２分配比率設定部４２３は、当該コンテンツについての情報に基づいて、記憶部４１０に格納されている情報の中から、当該コンテンツと紐付けられている分割比率情報及び作品権利情報を参照することにより、対象コンテンツについて分割比率及び第２の分配比率を設定することができる。
【００６２】
なお、図４に示す例では、作品権利情報が調停サーバ４０の記憶部４１０に記憶されているが、本実施形態はかかる例に限定されない。作品権利情報は、本実施形態に係る寄付金額調停システム１の外部のデータベースとして存在していてもよい。作品権利情報は、当該データベースにアクセスすることにより、分配条件の設定に必要な情報を取得してもよい。また、上述したように、作品権利情報は、コンテンツに対するクリエイタの権利関係についての情報である。従って、例えば著作権管理団体等によってコンテンツの権利関係のデータベースが構築されている場合には、そのデータベースの情報が作品権利情報として利用されてもよい。
【００６３】
分配条件設定部４２１は、設定された分配条件についての情報を、分配条件入力画面表示制御部４２９に随時提供することができる。そして、分配条件入力画面表示制御部４２９は、提供された情報を分配条件入力画面に随時反映させることができる。例えば、分割比率設定部４２２及び第２分配比率設定部４２３は、設定した分割比率及び第２の分配比率についての情報を、分配条件入力画面表示制御部４２９に提供する。分配条件入力画面表示制御部４２９は、ユーザ端末２０の表示制御部２３２に分割比率情報及び第２分配比率情報を送信し、分配条件入力画面にこれらの情報を表示させる。ユーザは、分割比率情報及び第２分配比率情報が表示された分配条件入力画面を参照し、ユーザ側分配条件を入力することができる。また、対象コンテンツが二次創作品である場合には、分配条件入力画面には、対象コンテンツと引用関係にある他のコンテンツ（例えば対象コンテンツの親コンテンツ）についての情報が表示され、ユーザに対して通知されてもよい。
【００６４】
寄付金額設定部４２４及び第１分配比率設定部４２５は、ユーザ側分配条件を設定する。寄付金額設定部４２４は、ユーザ端末２０の操作情報取得部２３１から送信される操作情報に基づいて、対象コンテンツのクリエイタに対する寄付金額を設定する。また、第１分配比率設定部４２５は、ユーザ端末２０の操作情報取得部２３１から送信される操作情報に基づいて、対象コンテンツについての第１の分配比率を設定する。ここで、操作情報取得部２３１から送信される操作情報は、ユーザ端末２０の表示部２２０に表示される分配条件入力画面における寄付金額情報入力欄及び第１分配比率情報入力欄にユーザによって入力される寄付金額及び第１の分配比率についての情報であってよい。ここで、分配条件入力欄には、対象コンテンツと引用関係にある他のコンテンツ（例えば対象コンテンツの親コンテンツ）に対する分配比率を入力する入力欄が設けられてもよい。第１分配比率設定部４２５は、当該入力欄へのユーザの操作入力に基づいて、親コンテンツ等の対象コンテンツと引用関係にある他のコンテンツに対する分配比率も含めて第１の分配比率を設定してもよい。また、第１分配比率設定部４２５は、より詳細に、親コンテンツ等の対象コンテンツと引用関係にある他のコンテンツの各クリエイタに対する分配比率も含めて第１の分配比率を設定してもよい。
【００６５】
寄付金額設定部４２４及び第１分配比率設定部４２５は、設定した寄付金額及び第１の分配比率についての情報を、分配条件入力画面表示制御部４２９に提供する。分割比率情報及び第２分配比率情報と同様、寄付金額情報及び第１分配比率情報は、分配条件入力画面表示制御部４２９によって、分配条件入力画面に随時反映される。
【００６６】
分割比率設定部４２２及び寄付金額設定部４２４は、設定した分割比率及び寄付金額についての情報を、寄付金額分割部４２７に提供する。また、第１分配比率設定部４２５及び第２分配比率設定部４２３は、設定した第１の分配比率及び第２分の配比率についての情報を、分配額算出部４２８に提供する。
【００６７】
寄付金額分割部４２７は、寄付金額設定部４２４によって設定された寄付金額を、分割比率設定部４２２によって設定された分割比率に基づいて、第１の分配比率に基づいて分配される第１の部分と、第２の分配比率に基づいて分配される第２の部分と、に分割する。寄付金額分割部４２７における処理は、図２を参照して説明した、寄付金額を第１の部分Ａと第２の部分Ｂとに分割する処理に対応している。寄付金額分割部４２７は、分割した第１の部分及び第２の部分についての情報を分配額算出部４２８に提供する。
【００６８】
分配額算出部４２８は、第１の部分に対応する金額、第２の部分に対応する金額、第１の分配比率及び第２の分配比率に基づいて、寄付金額のクリエイタの各々への分配額を算出する。具体的には、分配額算出部４２８は、第１の部分に対応する金額を第１の分配比率に基づいて各クリエイタに対して分配し、第２の部分に対応する金額を第２の分配比率に基づいて各クリエイタに対して分配することにより、各クリエイタへの分配額を算出する。また、本実施形態においては、対象コンテンツが二次創作品である場合には、第１の分配比率及び第２の分配比率には、対象コンテンツを制作したクリエイタへの分配比率だけでなく、当該コンテンツの親コンテンツのクリエイタへの分配比率も含まれていてよい。このように、分配額算出部４２８は、第１の分配比率及び第２の分配比率に基づいて、親コンテンツのクリエイタも含めた各クリエイタへの分配比率を算出してもよい。分配額算出部４２８における処理は、図２を参照して説明した、寄付金額の第１の部分Ａ及び第２の部分Ｂを、対象コンテンツへの分配部分Ａ１、Ｂ１と、親コンテンツへの分配部分Ａ２、Ｂ２とに分配する処理、並びに、対象コンテンツへの分配部分Ａ１、Ｂ１を、各クリエイタへの分配部分Ａ１１、Ａ１２、Ａ１３、Ｂ１１、Ｂ１２、Ｂ１３に分配する処理に対応している。
【００６９】
分配額算出部４２８は、算出した各クリエイタへの分配額についての分配額情報を分配条件入力画面表示制御部４２９に提供する。分配条件入力画面表示制御部４２９は、分配額情報を分配条件入力画面に随時表示させることができる。従って、分配条件が変更されれば、分配条件入力画面に表示される分配額情報も更新される。ユーザは、分配条件入力画面を参照することにより、分配条件に応じた各クリエイタへの分配額をリアルタイムで確認することができる。また、分配額算出部４２８は、分配額情報を記憶部４１０に格納してもよい。記憶部４１０は、分配額情報をクリエイタと紐付けて所定の期間記憶することができる。分配条件入力画面表示制御部４２９は、記憶部４１０を参照することにより、分配条件入力画面に、所定の期間内における各クリエイタへの分配額の積算値を表示させてもよい。
【００７０】
以上、図４を参照して、本開示の第１の実施形態に係る寄付金額調停システム１を構成する各装置の機能構成について説明した。以上説明したように、第１の実施形態では、ユーザによって指定され得る分配比率と、クリエイタによって指定され得る分配比率とに基づいて、寄付金額の各クリエイタへの分配額が算出される。従って、ユーザ及びクリエイタ双方の意図が適切に反映された寄付金額の分配が実現される。また、本実施形態では、対象コンテンツが二次創作品である場合には、対象コンテンツとオリジナルコンテンツとの分配比率も考慮した寄付金額の各クリエイタへの分配が行われてもよい。このように、オリジナルコンテンツのクリエイタに対する分配額に対しても、ユーザ側の意図とクリエイタ側の意図とが調停された適切な分配額が決定され得る。
【００７１】
［１−４．分配条件入力画面の表示例］
次に、図５、図６Ａ及び図６Ｂを参照して、本開示の第１の実施形態に係る分配条件入力画面の表示例について説明する。図５は、本開示の第１の実施形態に係る分配条件入力画面の一表示例を示す図である。なお、以下に示す分配条件入力画面の表示は、上述した分配条件入力画面表示制御部４２９によって制御され得る。
【００７２】
図５を参照すると、分配条件入力画面５００は、コンテンツ再生領域５１０と、分配条件情報表示領域５２０と、を有する。コンテンツ再生領域５１０には、再生されるコンテンツの画像が表示されるとともに、当該コンテンツに関する各種の情報が表示される。本実施形態では、コンテンツ再生領域５１０において再生されているコンテンツが対象コンテンツであり得る。図５に示す例では、コンテンツ再生領域５１０には、コンテンツ画像５１１、クリエイタ情報５１２ａ〜５１２ｃ、コメント欄５１３及び分配額積算値情報５１４が表示される。
【００７３】
コンテンツ画像５１１は、ユーザのリクエストに応じて、コンテンツ共有サーバ３０からユーザ端末２０に送信されたコンテンツの画像である。コンテンツが音楽コンテンツ等画像を含まないコンテンツである場合には、コンテンツ画像５１１としては、例えば当該音楽コンテンツに対応してコンテンツ共有サーバ３０から提供されるイメージ画像、又はコンテンツ共有サーバ３０若しくはユーザ端末２０で生成される視覚エフェクト画像が表示されてもよいし、コンテンツ再生領域５１０がコンテンツ画像５１１を含まなくてもよい。
【００７４】
クリエイタ情報５１２ａ〜５１２ｃは、対象コンテンツのクリエイタについての情報である。図５に示す例では、対象としているコンテンツは音楽を伴う動画コンテンツであって、歌手Ａによって歌われ、アレンジャーＢによって編曲され、イラストレーターＣによってイメージ画像が制作されたコンテンツである。従って、クリエイタ情報５１２ａ〜５１２ｃとして、歌手Ａ、アレンジャーＢ及びイラストレーターＣを表す画像、並びに、各クリエイタの名前が表示されている。
【００７５】
コメント欄５１３には、クリエイタがコンテンツに対して投稿したコメントが表示される。当該コメントは、クリエイタの自己紹介、コンテンツの概要の説明及び対象コンテンツと関連する他のコンテンツについての情報（例えばクリエイタによって制作された他のコンテンツへのリンク等）を含んでもよい。
【００７６】
分配額積算値情報５１４は、所定の期間内にクリエイタに対して分配された分配額の積算値についての情報である。また、分配額積算値情報５１４には、当該クリエイタに対して寄付を行ったユーザ（サポーター）についての情報が含まれてもよい。分配額積算値情報５１４は、例えば記憶部４１０に記憶されている分配額情報の履歴に基づいて表示され得る。図５に示す例では、歌手Ａに対する分配額の積算値が１２，３００円であること、歌手Ａのサポーターを表すアイコン及び歌手Ａのサポーターが３４人いることが表示されている。
【００７７】
分配条件情報表示領域５２０には、分配条件情報が表示される。図５に示す例では、分配条件情報表示領域５２０には、分配条件確定ボタン５２１、寄付金額入力欄５２２及び作品権利情報５２３が表示される。
【００７８】
分配条件確定ボタン５２１は、分配条件が確定された旨を示す情報をユーザ端末２０に入力するためのＧＵＩ部品であり、ユーザの操作に応じて、ポインタ等の操作子又はユーザの指等による接触によって選択され得る。分配条件確定ボタン５２１が選択されることにより、ユーザによって入力された分配条件が確定され、当該分配条件に基づいて各クリエイタへの最終的な分配額が決定される。
【００７９】
寄付金額入力欄５２２には、ユーザの操作入力に応じて寄付金額が入力される。寄付金額入力欄５２２に入力された寄付金額についての情報が、操作情報として調停サーバ４０の寄付金額設定部４２４に送信される。
【００８０】
作品権利情報５２３は、例えば記憶部４１０に記憶されている作品権利情報に基づいて表示され得る。図５に示す例では、作品権利情報５２３が、コンテンツ及びクリエイタの関連性を表す樹形図の形式で表示されている。当該樹形図のノード（節）に当たる部分には、コンテンツアイコン５２４ａ、５２４ｂ及びクリエイタアイコン５２５ａ〜５２５ｅが表示される。
【００８１】
コンテンツアイコン５２４ａ、５２４ｂは、コンテンツを表すアイコンであり、例えばコンテンツのタイトルやコンテンツのサムネイル等によって構成され得る。例えば、コンテンツアイコン５２４ａは、コンテンツ再生領域５１０において再生されているコンテンツを示している。また、コンテンツアイコン５２４ｂは、例えばコンテンツ再生領域５１０において再生されているコンテンツの親コンテンツを示している。コンテンツアイコン５２４ａとコンテンツアイコン５２４ｂとはリンクによって接続されている。このように、本実施形態においては、作品権利情報５２３として、コンテンツ間における引用関係がアイコン間のリンクとして表示され得る。また、例えばコンテンツアイコン５２４ｂを選択することにより、コンテンツアイコン５２４ｂに対応するコンテンツがコンテンツ共有サーバ３０からユーザ端末２０に送信され、ユーザ端末２０において当該コンテンツが再生されてもよい。
【００８２】
また、クリエイタアイコン５２５ａ〜５２５ｅはクリエイタを表すアイコンであり、例えばクリエイタの名前やクリエイタを表す画像等によって構成され得る。図５に示す例では、クリエイタアイコン５２５ａ〜５２５ｃは、コンテンツ再生領域５１０において再生されているコンテンツのクリエイタ（すなわち、コンテンツ再生領域５１０に表示されているクリエイタ情報５１２ａ〜５１２ｃに対応するクリエイタ）を示しており、コンテンツアイコン５２４ａとリンクによって接続されている。また、クリエイタアイコン５２５ｄ、５２５ｅは、コンテンツ再生領域５１０において再生されているコンテンツの親コンテンツのクリエイタを示しており、コンテンツアイコン５２４ｂとリンクによって接続されている。このように、本実施形態では、コンテンツとクリエイタとの関連性が、アイコン間のリンクとして表示され得る。また、例えばクリエイタアイコン５２５ａ〜５２５ｅを選択することにより、選択されたクリエイタアイコン５２５ａ〜５２５ｅに対応するクリエイタについての情報（例えば、当該クリエイタのプロフィールや作品リスト等）が表示されてもよい。
【００８３】
また、分配条件情報表示領域５２０には、各クリエイタへの分配額情報５２６ａ〜５２６ｇが、コンテンツアイコン５２４ａ、５２４ｂ及びクリエイタアイコン５２５ａ〜５２５ｅと関連付けて表示される。図５に示す例では、分配額情報５２６ａ〜５２６ｇが、コンテンツアイコン５２４ａ、５２４ｂ及びクリエイタアイコン５２５ａ〜５２５ｅに重畳されて表示されている。分配額情報５２６ａ〜５２６ｇは、上述した分配額算出部４２８によって算出される分配額についての情報であって、寄付金額入力欄５２２に入力された寄付金額及び他の分配条件に基づいて算出される分配額についての情報である。寄付金額入力欄５２２への入力値を含む分配条件が変更された場合には、分配額情報５２６ａ〜５２６ｇの表示も動的に変更されてよい。
【００８４】
また、コンテンツ再生領域５１０に表示される分配額積算値情報５１４と同様に、各クリエイタに対する分配額積算値情報５２７ａ〜５２７ｆが、コンテンツアイコン５２４ｂ及びクリエイタアイコン５２５ａ〜５２５ｅと関連付けて表示されてもよい。また、分配額積算値情報５２７ａ〜５２７ｆとして、分配額情報５２６ａ〜５２６ｇに基づく分配額の積算値の増分が表示されてもよい。図５に示す例では、コンテンツアイコン５２４ｂ及びクリエイタアイコン５２５ａ〜５２５ｅと関連付けて表示される吹き出し状の欄内に、分配額積算値情報５２７ａ〜５２７ｆ及び分配額情報５２６ａ〜５２６ｇに基づくその増分についての情報が表示されている。なお、図５では図示を省略しているが、コンテンツアイコン５２４ａについても、同様に分配額積算値情報が表示されてもよい。
【００８５】
ここで、本実施形態では、ユーザによる寄付の対象はクリエイタである。従って、コンテンツアイコン５２４ａと関連付けて表示される分配額情報５２６ａは、コンテンツアイコン５２４ａに対応するコンテンツと関連する各クリエイタへの分配額の合計値（すなわち寄付金額）であってよい。また、コンテンツアイコン５２４ｂと関連付けて表示される分配額情報５２６ｂ及び分配額積算値情報５２７ａは、コンテンツアイコン５２４ｂに対応するコンテンツと関連する各クリエイタへの分配額及び分配額の積算値の合計値であってよい。
【００８６】
更に、分配条件情報表示領域５２０には、寄付を行ったユーザを表すサポーターアイコン５２８ａ〜５２８ｅが、クリエイタアイコン５２５ａ〜５２５ｅと関連付けて表示される。サポーターアイコン５２８ａ〜５２８ｅは、図５に示すように、寄付を行ったユーザを表す複数のユーザアイコンの集合体であり得る。サポーターアイコン５２８ａ〜５２８ｅを構成するユーザアイコンが多いほど、当該クリエイタに対して寄付を行ったユーザが多いことを示しているため、サポーターアイコン５２８ａ〜５２８ｅは、当該クリエイタの人気度を示す指標となり得る。
【００８７】
このように、本実施形態に係る分配条件入力画面５００では、各クリエイタへの分配額積算値情報５１４、５２７ａ〜５２７ｆが表示されることにより、既に各クリエイタに対して行われている支援行為が可視化される。また、分配額積算値情報５１４、５２７ａ〜５２７ｆとして、今回の寄付による増分が併せて表示されることにより、ユーザが各クリエイタに対して行おうとしている支援の影響が可視化される。このように、ユーザに対して支援を促す情報が表示されることにより、ユーザの寄付行為に対するモチベーションを向上させることができる。
【００８８】
ここで、図６Ａ及び図６Ｂを参照して、ユーザが第１の分配比率を入力する分配比率入力画面について説明する。図６Ａ及び図６Ｂは、本開示の第１の実施形態に係る分配比率入力画面の一表示例を示す図である。なお、図６Ａ及び図６Ｂに示す分配比率入力画面は、分配条件が入力される画面であり、分配条件入力画面の一つであると言える。当該分配比率入力画面は、例えば図５に示す分配条件情報表示領域５２０に表示されてもよい。また、当該分配比率入力画面は、図５に示す分配条件入力画面５００とは別の画面として、表示部２２０の表示画面の別の領域に表示されてもよい。
【００８９】
図６Ａを参照すると、分配比率入力画面５３０においては、分配条件情報及び分配額情報が表の形式で表示される。図６Ａに示す例では、分割比率情報、寄付金額情報、第１分配比率情報、第２分配比率情報及び分配額情報が、表の形式で表示されている。
【００９０】
具体的には、分配比率入力画面５３０には、分割比率情報が表示される分割比率表示欄５３１及び第２の分配比率情報が表示される第２分配比率表示欄５３２が設けられる。分割比率表示欄５３１及び第２分配比率表示欄５３２には、分割比率設定部４２２及び第２分配比率設定部４２３によって設定されるクリエイタ側分配条件についての情報が表示される。本実施形態では、分割比率及び第２の分配比率はクリエイタによって指定され得る分配条件であるため、ユーザの操作によって分割比率表示欄５３１及び第２分配比率表示欄５３２の表示を変更することはできない。
【００９１】
また、分配比率入力画面５３０には、寄付金額を入力するための寄付金額入力欄５３３及び第１の分配比率を入力するための第１分配比率入力欄５３４が設けられる。寄付金額入力欄５３３及び第１分配比率入力欄５３４には、ユーザの操作に応じて所望の数値が入力され得る。
【００９２】
また、分配比率入力画面５３０には、各クリエイタへの分配割合を示す分配割合表示欄５３５及び各クリエイタへの分配額を示す分配額表示欄５３６が設けられる。図６Ａに示す例では、ユーザ側分配条件が未入力であり、寄付金額入力欄５３３及び第１分配比率入力欄５３４が空欄であるため、分配割合表示欄５３５及び分配額表示欄５３６も空欄となっている。
【００９３】
図６Ｂは、図６Ａに示す状態において、ユーザによって、寄付金額入力欄５３３及び第１分配比率入力欄５３４に、寄付金額及び第１の分配比率が入力された場合における分配比率入力画面５３０の表示例を示している。図６Ｂに示す例では、簡単のため、寄付金額として１００円が入力された場合を図示している。入力された寄付金額及び第１の分配比率についての情報が調停サーバ４０に送信され、調停サーバ４０の分配額算出部４２８によって各クリエイタへの分配額が算出される。図６Ｂでは、分配額算出部４２８によって算出された分配額及びその割合についての情報が分配額表示欄５３６及び分配割合表示欄５３５に表示されている。寄付金額入力欄５３３及び第１分配比率入力欄５３４への入力値が変更されることにより、分配割合表示欄５３５及び分配額表示欄５３６の表示も動的に変化し得る。
【００９４】
以上、図５、図６Ａ及び図６Ｂを参照して、本開示の第１の実施形態に係る分配条件入力画面の表示例について説明した。以上説明したように、本実施形態では、分配条件入力画面において、分配条件情報及び分配額情報が表示され、分配額情報は、分配条件情報の変化に基づいて随時更新され得る。従って、ユーザは、分配額情報を確認しながら入力する分配条件を変更し、最終的な分配条件を確定することができる。また、本実施形態では、分配条件入力画面において作品権利情報が表示され得る。作品権利情報は、例えば
コンテンツ及びクリエイタの関連性を表す樹形図の形式で表示される。また、当該樹形図のノードに当たる部分には、コンテンツアイコン５２４ａ、５２４ｂ及びクリエイタアイコン５２５ａ〜５２５ｅが表示され、分配額情報がこれらのアイコンと関連付けて表示され得る。従って、各クリエイタへの分配額がより直感的に把握されるようにユーザに対して通知され得る。
【００９５】
なお、図６Ａ及び図６Ｂに示すように、本実施形態では、寄付を行う際にユーザによって第１の分配比率が入力される。また、上述したように、コンテンツを登録する際にクリエイタによって第２の分配比率が例えば作品権利情報に含まれる形式で入力される。ここで、本実施形態では、第１の分配比率及び第２の分配比率としてデフォルト値が設定されていてもよく、ユーザ及びクリエイタは、第１の分配比率及び第２の分配比率を入力する際に当該デフォルト値を利用してもよい。ユーザ及びクリエイタが、例えば寄付を行うごとに又はコンテンツを登録するごとに第１の分配比率及び第２の分配比率を入力することは、ユーザ及びクリエイタにとって煩わしく感じられる可能性がある。上記のようにデフォルト値が予め設定されることにより、ユーザ及びクリエイタによる分配条件の入力がより容易になる。
【００９６】
また、第１の分配比率及び第２の分配比率のデフォルト値は、例えばコンテンツが制作されたパターンや当該コンテンツのクリエイタの人数等に応じて適宜設定されてよい。例えば、対象コンテンツがオリジナルコンテンツである音楽コンテンツを別の歌手が歌唱した二次創作品である場合や、対象コンテンツがオリジナルコンテンツである音楽コンテンツに映像を付した二次創作品である場合等、特に二次創作品であるコンテンツには、頻繁に行われ得る典型的な二次創作のパターンが存在し得る。このような典型的な制作パターンによって制作されたコンテンツに対して、当該制作パターンに応じて、第１の分配比率及び第２の分配比率のデフォルト値が適宜設定されていてよい。ユーザ及びクリエイタは当該デフォルト値を参考にして又は当該デフォルト値を利用して、第１の分配比率及び第２の分配比率を設定することができる。
【００９７】
ここで、図７を参照して、図５に示す分配条件情報表示領域５２０の変形例について説明する。図７は、図５に示す分配条件情報表示領域５２０の変形例を示す図である。
【００９８】
図７を参照すると、本変形例に係る分配条件情報表示領域５４０には、分配条件確定ボタン５４１、寄付金額入力欄５４２及び作品権利情報５４３が表示される。ここで、分配条件確定ボタン５４１及び寄付金額入力欄５４２については、図５に示す分配条件確定ボタン５２１及び寄付金額入力欄５２２と同様であるため、詳細な説明は省略する。
【００９９】
図７を参照すると、本変形例では、図５と同様に、作品権利情報５４３が、コンテンツ及びクリエイタの関連性を表す樹形図の形式で表示される。当該樹形図のノードに当たる部分には、コンテンツアイコン５４４ａ、５４４ｂ及びクリエイタアイコン５４５ａ〜５４５ｅが表示される。コンテンツアイコン５４４ａ、５４４ｂは、コンテンツを表すアイコンであり、図５に示すコンテンツアイコン５２４ａ、５２４ｂに対応している。また、クリエイタアイコン５４５ａ〜５４５ｅはクリエイタを表すアイコンであり、図５に示すクリエイタアイコン５４５ａ〜５４５ｅに対応している。また、図５と同様に、コンテンツとクリエイタとの関連性及びコンテンツとコンテンツとの関連性が、コンテンツアイコン５４４ａ、５４４ｂ及びクリエイタアイコン５４５ａ〜５４５ｅの間のリンクとして表示されている。また、各クリエイタへの分配額情報５４６ａ〜５４６ｇが、コンテンツアイコン５４４ａ、５４４ｂ及びクリエイタアイコン５４５ａ〜５４５ｅと関連付けて表示される。分配額情報５４６ａ〜５４６ｇは、図５に示す分配額情報５２６ａ〜５２６ｇに対応するものである。
【０１００】
本変形例では、図５に例示する場合とは異なり、コンテンツアイコン５４４ａ、５４４ｂ及びクリエイタアイコン５４５ａ〜５４５ｅ並びにこれらのアイコン間のリンクが、各クリエイタへの分配額に応じた大きさで表示される。図７に示す例では、寄付金額入力欄５４２に入力されている寄付金額が４００円であり、そのうちの３００円が歌手Ａに対して分配されている。また、アレンジャーＢ及びイラストレーターＣには、それぞれ１０円ずつが分配されている。従って、歌手Ａを表すクリエイタアイコン５４５ａが、アレンジャーＢ及びイラストレーターＣを表すクリエイタアイコン５４５ｂ、５４５ｃに比べて大きく表示される。また、対象コンテンツを表すコンテンツアイコン５４４ａから歌手Ａを表すクリエイタアイコン５４５ａへのリンクが、コンテンツアイコン５４４ａからアレンジャーＢ及びイラストレーターＣを表すクリエイタアイコン５４５ｂ、５４５ｃへのリンクよりも太く表示されている。このように、コンテンツアイコン５４４ａ、５４４ｂ及びクリエイタアイコン５４５ａ〜５４５ｅ並びにこれらのアイコン間のリンクが、各クリエイタへの分配額に応じた大きさで表示されることにより、ユーザが各クリエイタへの分配額の大小をより直感的に認識することができ、分配条件を入力する際の利便性が向上する。
【０１０１】
また、本変形例では、特定のクリエイタに対する分配額積算値情報が表示されるメッセージ欄５４７が表示される。図７に示す例では、歌手Ａに対する分配額積算値情報がメッセージ欄５４７に表示されている。図７に示すように、メッセージ欄５４７には、今回の寄付によって歌手Ａに対する寄付金額の積算値がいくらになるかが表示されてもよい。このように、メッセージ欄５４７に、クリエイタへの寄付金額の積算値が具体的な数値として表示されることにより、ユーザが寄付を行うモチベーションが向上される。
【０１０２】
また、本変形例では、クリエイタアイコン５４５ａ〜５４５ｅの背景として、雲状の背景５４８ａ〜５４８ｅが表示される。背景５４８ａ〜５４８ｅは、サポーターの人数を概念的に表しており、例えばサポーターの人数が多いほど、背景５４８ａ〜５４８ｅが大きく表示される。また、サポーターの人数に応じて、背景５４８ａ〜５４８ｅの色や模様等が変化してもよい。ここで、図５に示す例では、サポーターが、複数のユーザアイコンの集合体であるサポーターアイコン５２８ａ〜５２８ｅとして表示されていた。従って、サポーターの人数はサポーターアイコン５２８ａ〜５２８ｅを構成するユーザアイコンの数として表現されていた。一方、本変形例では、サポーターの人数が背景５４８ａ〜５４８ｅの大きさや色等によって表現される。従って、サポーターの人数を、ユーザがより直感的に把握することが可能となる。上述したように、サポーターの人数は、当該クリエイタの人気度を示す指標となり得るため、本変形例では、クリエイタの人気度がユーザに対してより直感的に伝達され得る。
【０１０３】
また、本変形例では、図７に示すように、クリエイタアイコン５４５ａ〜５４５ｃに対して、他のコンテンツを表すコンテンツアイコン５４９ａ〜５４９ｆが表示される。図７に示す例では、クリエイタアイコン５４５ａとコンテンツアイコン５４９ａ、５４９ｂとの間、クリエイタアイコン５４５ｂとコンテンツアイコン５４９ｃ、５４９ｄとの間及びクリエイタアイコン５４５ｃとコンテンツアイコン５４９ｅ、５４９ｆとの間に、それぞれリンクが表示され、その関連性が表現されている。例えば、コンテンツアイコン５４９ａ、５４９ｂが表すコンテンツは、クリエイタアイコン５４５ａが表すクリエイタ（すなわち、歌手Ａ）が制作に携わった他のコンテンツである。同様に、コンテンツアイコン５４９ｃ〜５４９ｆが表すコンテンツは、クリエイタアイコン５４５ｂ、５４５ｃが表すクリエイタ（すなわち、アレンジャーＢ、イラストレーターＣ）が制作に携わった他のコンテンツであってよい。また、例えばコンテンツアイコン５４９ａ〜５４９ｆを選択することにより、選択されたコンテンツアイコン５４９ａ〜５４９ｆに対応するコンテンツがコンテンツ共有サーバ３０からユーザ端末２０に送信され、ユーザ端末２０において当該コンテンツが再生されてもよい。なお、図７に示す例では、簡単のため、コンテンツアイコン５４９ａ〜５４９ｆを四角形の枠だけで表現しているが、コンテンツアイコン５４９ａ〜５４９ｆにはコンテンツのタイトルやサムネイル等が表示されてもよい。
【０１０４】
このように、本変形例では、作品権利情報５４３として、クリエイタに関連する対象コンテンツ以外のコンテンツについての情報が表示されてもよい。ここで、クリエイタに対して寄付を行ったユーザは、当該クリエイタの作品に対して好感を抱いていると考えられ、当該クリエイタの他の作品を視聴したいという欲求がある可能性が高い。従って、クリエイタに関連する他のコンテンツについての情報が表示されることにより、ユーザが当該クリエイタの他のコンテンツに容易にアクセスすることが可能となる。当該他のコンテンツを視聴したユーザは、当該クリエイタに対して更に寄付を行うことが考えられる。このように、本変形例では、ユーザに対してクリエイタに関連する他のコンテンツについての情報が提供されることにより、ユーザによる更なる寄付行為が喚起され得る。
【０１０５】
＜２．第２の実施形態＞
次に、本開示の第２の実施形態について説明する。本開示の第２の実施形態は、第１の実施形態に対して、分配条件の設定方法が異なる実施形態に対応している。具体的には、第２の実施形態では、ユーザによって指定され得るユーザ側分配条件が第１の実施形態とは異なる。従って、以下の第２の実施形態についての説明では、主に第１の実施形態との相違点について説明することとし、第１の実施形態と同様の事項についてはその説明を省略する。
【０１０６】
［２−１．システムにおける処理手順］
まず、図８を参照して、本開示の第２の実施形態に係る寄付金額調停システムにおいて行われる各種の情報処理の処理手順について説明する。図８は、本開示の第２の実施形態に係る寄付金額調停システムにおける処理手順を示すフロー図である。
【０１０７】
図８を参照すると、第２の実施形態に係る寄付金額調停システム２は、クリエイタ端末１０と、ユーザ端末２０と、コンテンツ共有サーバ３０と、調停サーバ４０ａと、を備える。クリエイタ端末１０、ユーザ端末２０及びコンテンツ共有サーバ３０の機能は、図１及び図２に示す第１の実施形態に係るクリエイタ端末１０、ユーザ端末２０及びコンテンツ共有サーバ３０の機能と同様である。また、図８に示すステップＳ１０１〜ステップＳ１１５における処理及びステップＳ１２３〜ステップＳ１２７における処理は、図３に示す第１の実施形態でのこれらのステップにおける処理と同様であるため、詳細な説明は省略する。第２の実施形態では、第１の実施形態におけるステップＳ１１７〜ステップＳ１２１に示す各処理の代わりに、ステップＳ１１７ａ〜ステップＳ１２１ａに示す各処理が行われる。
【０１０８】
図８を参照すると、ステップＳ１１７ａでは、分配条件設定画面を介してユーザ側分配条件の入力が行われる。ここで、第１の実施形態では、ユーザ側分配条件として、寄付金額及び第１分配比率が入力されていた。一方、第２の実施形態では、ユーザ側分配条件として、寄付金額及び希望分配額が入力され得る。ここで、希望分配額とは、ユーザが希望する各ユーザへの分配額のことである。このように、第２の実施形態では、ユーザは、分配条件として、各クリエイタへの分配比率である第１の分配比率を入力する代わりに、各クリエイタへの希望分配額を入力することができる。
【０１０９】
ユーザによって分配条件入力画面においてユーザ側分配条件が入力されると、ユーザ端末２０は、ユーザ側分配条件情報（寄付金額情報及び希望分配額についての希望分配額情報）を調停サーバ４０ａに送信する（ステップＳ１１９ａ）。
【０１１０】
次いで、調停サーバ４０ａは、ユーザ側分配条件情報に基づいて分配条件を設定する（ステップＳ１２１ａ）。ここで、第１の実施形態では、調停サーバ４０は、分配条件として、分割比率、第２分配比率、寄付金額及び第１分配比率を設定していた。一方、第２の実施形態では、調停サーバ４０ａは、分配条件を設定する際に、まず、分割比率、第２分配比率、寄付金額及び希望分配額に基づいて、第１の分配比率を設定する。そして、新たに設定された第１の分配比率と、当該第１の分配比率を設定するために用いた分割比率、第２分配比率、寄付金額と、を分配条件として設定する。このように、本実施形態では、ユーザによって入力された希望分配額に基づいて、各クリエイタへの分配額を算出するための分配条件が設定され、当該分配条件に基づいて、ステップＳ１２３において、各クリエイタへの分配額が算出される。なお、ステップＳ１２１ａにおける処理の詳細については、下記［２−２．装置の構成］で改めて説明する。
【０１１１】
以上、図８を参照して、第２の実施形態に係る寄付金額調停システム２において行われる各種の情報処理の処理手順について説明した。以上説明したように、本実施形態では、ユーザは、分配条件を入力する際に、各クリエイタへの分配比率である第１の分配比率を入力する代わりに、各クリエイタへの希望分配額を入力することができる。従って、ユーザがより直接的に各クリエイタへの分配額を指定することが可能となり、分配条件を入力する際のユーザの利便性が向上する。
【０１１２】
［２−２．装置の構成］
次に、図９を参照して、本開示の第２の実施形態に係る寄付金額調停システム２を構成する各装置の機能構成について説明する。図９は、本開示の第２の実施形態に係る寄付金額調停システム２を構成する各装置の機能構成を示す機能ブロック図である。なお、図９においては、寄付金額調停システム２を構成する装置のうち、クリエイタ端末１０及びコンテンツ共有サーバ３０については図示を省略し、ユーザ端末２０及び調停サーバ４０ａのみを図示している。クリエイタ端末１０及びコンテンツ共有サーバ３０は、図１及び図３を参照して説明した各処理を実行可能なように構成されればよく、例えば一般的なコンテンツ共有システムの管理サーバや、一般的な情報処理装置の機能構成によって実現され得る。また、図９において図示されている機能構成は本実施形態の説明のために簡略化されており、各装置は図示されていない機能構成を更に含んでもよい。図示されていない機能構成は、各装置の一般的な機能構成として既に知られたものであり得るため、詳細な説明は省略する。例えば、ユーザ端末２０と調停サーバ４０ａとの間の各種の情報の送受信は、各装置が備える通信装置（図示せず。）によって、有線又は無線のネットワーク（図示せず。）を介して行われてもよい。
【０１１３】
第２の実施形態では、調停サーバ４０ａの分配条件設定部４２１ａの機能構成が第１の実施形態とは異なる。その他の機能構成については、図３に示す第１の実施形態におけるユーザ端末２０及び調停サーバ４０の機能構成と同様であるため、詳細な説明は省略する。以下では、第２の実施形態に係る調停サーバ４０ａの機能構成の中でも、第１の実施形態とは異なる機能を有する、分配条件設定部４２１ａの機能構成について主に説明する。
【０１１４】
分配条件設定部４２１ａは、各クリエイタへの分配額を決定するための条件である分配条件を設定する。分配条件設定部４２１ａの機能は更に細分化され得る。図９に示すように、分配条件設定部４２１ａは、分割比率設定部４２２、第２分配比率設定部４２３、寄付金額設定部４２４、第１分配比率設定部４２５ａ及び希望分配額設定部４２６を有する。ここで、分割比率設定部４２２、第２分配比率設定部４２３及び寄付金額設定部４２４の機能は、第１の実施形態と同様であるため、詳細な説明は省略する。
【０１１５】
希望分配額設定部４２６は、ユーザ端末２０の操作情報取得部２３１から送信される操作情報に基づいて、ユーザの希望分配額を前記各クリエイタへの分配額として仮に設定する。ここで、上述したように、希望分配額とは、ユーザが希望する各クリエイタへの分配額である。また、操作情報取得部２３１から送信される操作情報は、ユーザ端末２０の表示部２２０に表示される分配条件入力画面における希望分配額情報入力欄にユーザによって入力される希望分配額についての情報であってよい。
【０１１６】
第２の実施形態においても、第１の実施形態と同様、分割比率設定部４２２、第２分配比率設定部４２３及び寄付金額設定部４２４は、分割比率、第２の分配比率及び寄付金額を設定している。ここで、第１の実施形態においては、第１分配比率設定部４２５は、ユーザ端末２０の操作情報取得部２３１から送信される操作情報に基づいて第１の分配比率を設定していた。一方、第２の実施形態では、第１分配比率設定部４２５ａは、分割比率、第２の分配比率、寄付金額及び希望分配額に基づいて第１の分配比率を設定する。
【０１１７】
ここで、第１の実施形態において説明したように、各クリエイタへの分配額は、分割比率、第２の分配比率、寄付金額及び第１の分配比率に基づいて算出され得る。これは、分配額、分割比率、第２の分配比率、寄付金額及び第１の分配比率の５つのパラメータのうち４つが与えられた場合には、残る１つのパラメータが決定され得ることを意味している。第２の実施形態では、分割比率、第２の分配比率、寄付金額及び希望分配額（すなわち仮の分配額）が与えられているため、第１分配比率設定部４２５ａは、寄付金額分割部４２７及び分配額算出部４２８で行われる処理の逆算処理を行うことにより、第１の分配比率を算出し、設定することができる。分配条件設定部４２１ａは、第１分配比率設定部４２５ａによって設定された第１の分配比率と、当該第１の分配比率を設定するために用いた分割比率、第２分配比率及び寄付金額と、を分配条件として設定する。寄付金額分割部４２７及び分配額算出部４２８は、当該分配条件に基づいて各クリエイタへの分配額を算出する。
【０１１８】
ここで、ユーザが入力した希望分配額の値によっては、当該希望分配額が実現されるような第１の分配比率が適切に設定できない場合がある。例えば、希望分配額の合計値が寄付金額を上回っていたり、希望分配額の合計値が寄付金額の第１の部分（分割比率に基づいて分割された、第１の分配比率によって分配される部分）に対応する金額を上回っていたりする場合には、第１の分配比率を算出しようとしても解が存在しないこととなる。このような場合には、第１分配比率設定部４２５ａは、分配額算出部４２８によって行われる分配額の算出処理の結果が希望分配額にできるだけ近い値になるように、第１の分配比率を設定することができる。第１分配比率設定部４２５ａが第１の分配比率を希望分配額と矛盾なく設定した場合には、分配額算出部４２８によって行われる分配額の算出処理の結果は、希望分配額と等しいものとなる。一方、第１の分配比率が希望分配額を実現し得るように設定されなかった場合には、分配額算出部４２８は、希望分配額とは異なるが、当該希望分配額に比較的近い金額を算出し得る。
【０１１９】
分配額算出部４２８によって算出された各クリエイタへの分配額についての情報は、分配条件入力画面表示制御部４２９に提供され、分配条件入力画面に表示される。第１の分配比率が希望分配額を実現し得るように設定されなかった場合には、分配条件入力画面表示制御部４２９は、分配条件入力画面にその旨の情報を表示させてもよい。
【０１２０】
以上、図９を参照して、本開示の第２の実施形態に係る寄付金額調停システム２を構成する各装置の機能構成について説明した。
【０１２１】
［２−３．分配条件入力画面の表示例］
次に、第２の実施形態における分配条件入力画面について説明する。ここで、第２の実施形態における分配条件入力画面は、図５及び図７に例示する第１の実施形態における分配条件入力画面と同様であってよい。ただし、上述したように、第２の実施形態では、ユーザは、分配条件を入力する際に、第１の分配比率を入力する代わりに、各クリエイタへの希望分配額を入力することができる。図１０Ａ及び図１０Ｂを参照して、ユーザが希望分配額を入力するための希望分配額入力画面の一表示例について説明する。図１０Ａ及び図１０Ｂは、本開示の第２の実施形態に係る希望分配額入力画面の一表示例を示す図である。なお、図１０Ａ及び図１０Ｂに示す希望分配額入力画面は、分配条件を入力するものであり、分配条件入力画面の一つであると言える。当該希望分配額入力画面は、例えば図５に示す分配条件情報表示領域５２０に表示されてもよい。また、当該希望分配額入力画面は、図５に示す分配条件入力画面５００とは別の画面として、表示部２２０の表示画面の別の領域に表示されてもよい。なお、本実施形態に係る希望分配額入力画面の表示は、分配条件入力画面表示制御部４２９によって制御され得る。
【０１２２】
図１０Ａを参照すると、希望分配額入力画面５５０においては、分配条件情報、分配額情報及び希望分配額情報が表の形式で表示される。図１０Ａに示す例では、分割比率情報、寄付金額情報、第１分配比率情報、第２分配比率情報、分配額情報及び希望分配額情報が、表の形式で表示されている。ここで、希望分配額入力画面５５０において、分割比率表示欄５３１、第２分配比率表示欄５３２、寄付金額入力欄５３３、分配割合表示欄５３５及び分配額表示欄５３６については、図６Ａ及び図６Ｂに示す分配比率入力画面５３０におけるこれらの欄と同様であるため、詳細な説明は省略する。
【０１２３】
希望分配額入力画面５５０には、第１分配比率情報が表示される第１分配比率表示欄５３４ａが設けられる。ユーザ側分配条件が入力される前は、第１分配比率表示欄５３４ａは空欄になっている。ユーザ側分配条件が入力され、第１分配比率設定部４２５ａによって、分割比率、第２の分配比率、寄付金額及び希望分配額に基づいて第１の分配比率が設定された場合に、第１分配比率表示欄５３４ａに当該設定された第１の分配比率についての情報が表示され得る。
【０１２４】
また、希望分配額入力画面５５０には、希望分配額を入力するための希望分配額入力欄５３７が設けられる。希望分配額入力欄５３７には、ユーザの操作に応じて所望の数値が入力され得る。図１０Ａに示す例では、ユーザによって寄付金額及び希望分配額が入力されていない状態であるため、寄付金額入力欄５３３及び希望分配額入力欄５３７は空欄である。また、調停サーバ４０ａによる処理結果が表示され得る第１分配比率表示欄５３４ａ、分配割合表示欄５３５及び分配額表示欄５３６も空欄となっている。
【０１２５】
図１０Ｂは、図１０Ａに示す状態において、ユーザによって、寄付金額入力欄５３３及び希望分配額入力欄５３７に、寄付金額及び希望分配額が入力された場合における希望分配額入力画面５５０の表示例を示している。図１０Ｂに示す例では、簡単のため、寄付金額として１００円が入力された場合を図示している。入力された寄付金額及び希望分配額についての情報が調停サーバ４０ａに送信され、調停サーバ４０ａの第１分配比率設定部４２５ａによって第１の分配比率が設定される。また、寄付金額分割部４２７及び分配額算出部４２８によって、各クリエイタへの分配額が算出される。図１０Ｂでは、第１分配比率設定部４２５ａによって設定された第１の分配比率、並びに、分配額算出部４２８によって算出された分配額及びその割合についての情報が、第１分配比率表示欄５３４ａ、分配額表示欄５３６及び分配割合表示欄５３５に表示されている。なお、ユーザが入力した希望分配額が実現されるような第１の分配比率が適切に設定できない場合には、第１分配比率設定部４２５ａによって適宜設定された、当該希望分配額に比較的近い分配額が算出され得る第１の分配比率が第１分配比率表示欄５３４ａに表示される。図１０Ｂに示す例では、希望分配額が実現され得る第１の分配比率が適切に設定可能であったため、希望分配額入力欄５３７への入力値と分配額表示欄５３６に表示される値とが等しくなっている。寄付金額入力欄５３３及び希望分配額入力欄５３７への入力値が変更されることにより、第１分配比率表示欄５３４ａ、分配割合表示欄５３５及び分配額表示欄５３６の表示も動的に変化し得る。
【０１２６】
以上、本開示の第２の実施形態について説明した。以上説明したように、本開示の第２の実施形態では、ユーザが、分配条件として各クリエイタへの希望分配額を指定することができる。このように、第２の実施形態では、第１の実施形態で得られる効果に加えて、ユーザが分配条件として各クリエイタへの分配額を直接的に指定し得ることにより、よりユーザの意図に沿った分配条件の入力が実現されるという効果が得られる。
【０１２７】
なお、以上の説明では、希望分配額を入力するためのＧＵＩにおける一表示例として、図１０Ａ及び図１０Ｂに示す希望分配額入力画面５５０について説明したが、第２の実施形態はかかる例に限定されない。第２の実施形態では、希望分配額を入力するための画面は他の形式であってもよい。例えば、図５及び図７に示す分配条件情報表示領域５２０、５４０において、分配額情報５２６ａ〜５２６ｇ、５４６ａ〜５４６ｇが表示される領域に、ユーザによる希望分配額を入力するための入力欄が設けられてもよい。コンテンツアイコン５２４ａ、５２４ｂ、５４４ａ、５４４ｂ及びクリエイタアイコン５２５ａ〜５２５ｅ、５４５ａ〜５４５ｅと関連付けて希望分配額の入力欄が設けられることにより、コンテンツ及びクリエイタと希望分配額との関連性をユーザがより認識しやすくなるため、希望分配額を入力する際のユーザの利便性が向上する。
【０１２８】
＜３．ハードウェア構成＞
次に、図１１を参照しながら、本開示の第１の実施形態及び第２の実施形態に係る情報処理装置のハードウェア構成について説明する。図１１は、本開示の第１の実施形態及び第２の実施形態に係る情報処理装置のハードウェア構成を説明するためのブロック図である。なお、図１１に示す情報処理装置９００は、例えば、図１、図４及び図８に示すクリエイタ端末１０、ユーザ端末２０、コンテンツ共有サーバ３０及び調停サーバ４０、４０ａを実現し得る。
【０１２９】
情報処理装置９００は、ＣＰＵ９０１、ＲＯＭ（Ｒｅａｄ  Ｏｎｌｙ  Ｍｅｍｏｒｙ）９０３及びＲＡＭ（Ｒａｎｄｏｍ  Ａｃｃｅｓｓ  Ｍｅｍｏｒｙ）９０５を含む。また、情報処理装置９００は、ホストバス９０７、ブリッジ９０９、外部バス９１１、インターフェース９１３、入力装置９１５、出力装置９１７、ストレージ装置９１９、通信装置９２１、ドライブ９２３及び接続ポート９２５を含んでもよい。情報処理装置９００は、ＣＰＵ９０１に代えて、又はこれとともに、ＤＳＰ（Ｄｉｇｉｔａｌ  Ｓｉｇｎａｌ  Ｐｒｏｃｅｓｓｏｒ）若しくはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）と呼ばれるような処理回路を有してもよい。
【０１３０】
ＣＰＵ９０１は、演算処理装置及び制御装置として機能し、ＲＯＭ９０３、ＲＡＭ９０５、ストレージ装置９１９又はリムーバブル記録媒体９２９に記録された各種プログラムに従って、情報処理装置９００内の動作全般又はその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行時のパラメータ等を一次記憶する。ＣＰＵ９０１、ＲＯＭ９０３及びＲＡＭ９０５は、ＣＰＵバス等の内部バスにより構成されるホストバス９０７により相互に接続されている。更に、ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス９１１に接続されている。ＣＰＵ９０１は、本実施形態では、例えばユーザ端末２０及び調停サーバ４０、４０ａの制御部２３０、４２０、４２０ａに対応する。
【０１３１】
入力装置９１５は、例えば、マウス、キーボード、タッチパネル、ボタン、スイッチ及びレバー等、ユーザによって操作される装置によって構成される。また、入力装置９１５は、例えば、赤外線やその他の電波を利用したリモートコントロール装置（いわゆる、リモコン）であってもよいし、情報処理装置９００の操作に対応した携帯電話やＰＤＡ等の外部接続機器９３１であってもよい。さらに、入力装置９１５は、例えば、上記の操作手段を用いてユーザにより入力された情報に基づいて入力信号を生成し、ＣＰＵ９０１に出力する入力制御回路などから構成されている。情報処理装置９００のユーザは、この入力装置９１５を操作することにより、情報処理装置９００に対して各種のデータを入力したり処理動作を指示したりすることができる。入力装置９１５は、本実施形態では、例えばユーザ端末２０の操作部２１０に対応する。
【０１３２】
出力装置９１７は、取得した情報をユーザに対して視覚的又は聴覚的に通知することが可能な装置で構成される。このような装置として、ＣＲＴディスプレイ装置、液晶ディスプレイ装置、プラズマディスプレイ装置、ＥＬディスプレイ装置及びランプ等の表示装置や、スピーカ及びヘッドホン等の音声出力装置や、プリンタ装置等がある。出力装置９１７は、例えば、情報処理装置９００が行った各種処理により得られた結果を出力する。具体的には、表示装置は、情報処理装置９００が行った各種処理により得られた結果を、テキスト、イメージ、表、グラフ等、様々な形式で視覚的に表示する。当該表示装置は、本実施形態では、例えばユーザ端末２０の表示部２２０に対応する。他方、音声出力装置は、再生された音声データや音響データ等からなるオーディオ信号をアナログ信号に変換して聴覚的に出力する。
【０１３３】
ストレージ装置９１９は、情報処理装置９００の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス又は光磁気記憶デバイス等により構成される。このストレージ装置９１９は、ＣＰＵ９０１が実行するプログラムや各種データ及び外部から取得した各種のデータ等を格納する。ストレージ装置９１９は、本実施形態では、例えば、調停サーバ４０の記憶部４１０に対応する。
【０１３４】
通信装置９２１は、例えば、通信網（ネットワーク）９２７に接続するための通信デバイス等で構成された通信インターフェースである。通信装置９２１は、例えば、有線若しくは無線ＬＡＮ（Ｌｏｃａｌ  Ａｒｅａ  Ｎｅｔｗｏｒｋ）、Ｂｌｕｅｔｏｏｔｈ（登録商標）又はＷＵＳＢ（Ｗｉｒｅｌｅｓｓ  ＵＳＢ）用の通信カード等である。また、通信装置９２１は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ又は各種通信用のモデム等であってもよい。この通信装置９２１は、例えば、インターネットや他の通信機器との間で、例えばＴＣＰ／ＩＰ等の所定のプロトコルに則して信号等を送受信することができる。また、通信装置９２１に接続されるネットワーク９２７は、有線又は無線によって接続されたネットワーク等により構成され、例えば、インターネット、家庭内ＬＡＮ、赤外線通信、ラジオ波通信又は衛星通信等であってもよい。本実施形態においては、例えば図３及び図８に示す各ステップにおいて処理される各種の情報が、通信装置９２１によってネットワーク９２７を介して他の装置との間で送受信され得る。
【０１３５】
ドライブ９２３は、記録媒体用リーダライタであり、情報処理装置９００に内蔵、あるいは外付けされる。ドライブ９２３は、装着されている磁気ディスク、光ディスク、光磁気ディスク又は半導体メモリ等のリムーバブル記録媒体９２９に記録されている情報を読み出して、ＲＡＭ９０５に出力する。また、ドライブ９２３は、装着されている磁気ディスク、光ディスク、光磁気ディスク又は半導体メモリ等のリムーバブル記録媒体９２９に情報を書き込むことも可能である。リムーバブル記録媒体９２９は、例えば、ＤＶＤメディア、ＨＤ−ＤＶＤメディア、Ｂｌｕ−ｒａｙ（登録商標）メディア等である。また、リムーバブル記録媒体９２９は、コンパクトフラッシュ（登録商標）（ＣｏｍｐａｃｔＦｌａｓｈ：ＣＦ）、フラッシュメモリ又はＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２９は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。本実施形態では、例えば図３及び図８に示す各ステップにおいて処理される各種の情報が、ドライブ９２３によってリムーバブル記録媒体９２９から読み出されたり、リムーバブル記録媒体９２９に書き込まれたりしてもよい。
【０１３６】
接続ポート９２５は、機器を情報処理装置９００に直接接続するためのポートである。接続ポート９２５の一例として、ＵＳＢ（Ｕｎｉｖｅｒｓａｌ  Ｓｅｒｉａｌ  Ｂｕｓ）ポート、ＩＥＥＥ１３９４ポート及びＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２５の別の例として、ＲＳ−２３２Ｃポート、光オーディオ端子及びＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２５に外部接続機器９３１を接続することで、情報処理装置９００は、外部接続機器９３１から直接各種のデータを取得したり、外部接続機器９３１に各種のデータを提供したりする。本実施形態では、例えば図３及び図８に示す各ステップにおいて処理される各種の情報が、接続ポート９２５を介して外部接続機器９３１から取得されたり、外部接続機器９３１に出力されたりしてもよい。
【０１３７】
以上、本開示の実施形態に係る情報処理装置９００の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１３８】
なお、上述のような本実施形態に係る情報処理装置９００の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０１３９】
＜４．補足＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４１】
例えば、上記実施形態では、分配条件入力画面において、寄付金額入力欄５２２、５３３、５４２を設け、寄付金額としてユーザによって具体的な数値が入力される場合について説明したが、本技術はかかる例に限定されない。例えば、分配条件入力画面には、ボタンを１度選択するごとに所定の金額が寄付金額として入力され得る寄付ボタンが設けられ、ユーザによって当該寄付ボタンが選択された回数に応じた寄付金額が、分配条件として入力されてもよい。ボタンを選択するというより簡易な操作によって寄付金額を入力することができるため、ユーザの利便性が向上する。
【０１４２】
また、例えば、上記実施形態では、対象コンテンツが二次創作品である場合に、第１の分配比率及び第２の分配比率が、対象コンテンツのクリエイタ及び親コンテンツに対して設定される場合について説明したが、本技術はかかる例に限定されない。例えば、親コンテンツの更に親コンテンツ等、引用関係においてさらに上位に存在するコンテンツに対しても、第１の分配比率及び第２の分配比率が設定可能であってもよく、当該第１の分配比率及び当該第２の分配比率に基づいて、寄付金額の分配がこれらの更に上位のコンテンツのクリエイタに対して行われてもよい。
【０１４３】
ここで、上述したように、本実施形態では、分配条件に基づいて各クリエイタへの分配額が決定されるが、例えばクリエイタが既にコンテンツ共有システムにおけるアカウント情報を削除している場合や、対象コンテンツとオリジナルコンテンツとの関係性が不明確である場合には、クリエイタに対して分配額の支払いが適切に行えない場合がある。このように、ユーザからの寄付金額がクリエイタに対して適切に分配できない場合には、その分配不可となった金額が、いわば供託金のような形式で寄付金額調停システム１、２によって一時的に保持されてよい。寄付金額調停システム１、２は、例えばアカウント情報を削除したクリエイタに対して分配額の支払いについての通知を行ったり、対象コンテンツのクリエイタに対してオリジナルコンテンツとの関連性を改めて登録することを促す通知を行ったりといった、分配額の適切な支払いを行うための各種の処置を行うことができる。
【０１４４】
また、例えば、対象コンテンツ及び／又はオリジナルコンテンツのクリエイタの中には、自身の受け取る分配額に対して異議を唱えるクリエイタが存在する可能性がある。従って、本実施形態では、クリエイタによる分配額に対する異議申し立てが可能な仕組みが寄付金額調停システム１、２に設けられていてもよい。寄付金額調停システム１、２は、異議申し立てを受けた場合、ユーザ及びクリエイタに対して、ユーザとクリエイタとの間での協議、調停の場を提供することができる。協議や調停が不調に終わった場合には、いわゆるｎｏｔｉｃｅ  ＆  ｔａｋｅ  ｄｏｗｎの手法により対象コンテンツが削除され、寄付金額がユーザに対して返還されてもよい。
【０１４５】
また、ユーザ及びクリエイタによって第１の分配比率及び第２の分配比率が指定される際に、例えば特定のクリエイタに対する分配比率が不当に低く（例えばゼロ）に指定されてしまうと、やはり当該クリエイタから異議が唱えられる可能性がある。このような事情を鑑みて、本実施形態では、第１の分配比率及び第２の分配比率に上限値及び／又は下限値が設定されていてもよい。当該上限値及び／又は下限値を設定することは、各クリエイタが最低限受け取ることのできる分配額を定める比率（いわば遺留分を定める遺留分比率）を設定することであると言える。当該上限値及び／又は下限値は、例えば各種の法令や規則、慣例等を考慮して、各クリエイタへの分配比率が妥当な比率となるように適宜設定され得る。
【０１４６】
なお、以下のような構成も本開示の技術的範囲に属する。
（１）コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する寄付金額分割部と、前記第１の部分に対応する金額、前記第２の部分に対応する金額、前記第１の分配比率及び前記第２の分配比率に基づいて、前記寄付金額の前記クリエイタの各々への分配額を算出する分配額算出部と、を備える、情報処理装置。
（２）ユーザによる操作入力についての操作情報に基づいて、前記第１の分配比率を設定する第１分配比率設定部、を更に備える、前記（１）に記載の情報処理装置。
（３）前記コンテンツと前記クリエイタとの関連性についての情報を少なくとも含む作品権利情報に基づいて、前記第２の分配比率を設定する第２分配比率設定部、を更に備える、前記（１）又は（２）に記載の情報処理装置。
（４）前記コンテンツに紐付けられている分割比率情報に基づいて前記分割比率を設定する分割比率設定部、を更に備える、前記（１）〜（３）のいずれか１項に記載の情報処理装置。
（５）ユーザによる操作入力についての操作情報に基づいて前記寄付金額を設定する寄付金額設定部、を更に備える、前記（１）〜（４）のいずれか１項に記載の情報処理装置。
（６）前記コンテンツが他のコンテンツであるオリジナルコンテンツに基づく二次創作作品である場合、前記前記第１の分配比率及び前記第２の分配比率は、当該オリジナルコンテンツに対する前記寄付金額の分配比率を含む、前記（１）〜（５）のいずれか１項に記載の情報処理装置。
（７）前記コンテンツと前記クリエイタとの関連性についての情報を少なくとも含む作品権利情報に基づいて、前記第２の分配比率を設定する第２分配比率設定部、を更に備え、前記作品権利情報は、前記コンテンツと前記オリジナルコンテンツとの関連性についての情報を更に含み、前記第２分配比率設定部は、前記作品権利情報に基づいて、前記第２の分配比率のうち前記オリジナルコンテンツに対する前記寄付金額の分配比率を設定する、前記（６）に記載の情報処理装置。
（８）ユーザによる操作入力についての操作情報に基づいて、ユーザの希望分配額を前記各クリエイタへの分配額として仮に設定する希望分配額設定部と、前記寄付金額と、前記分割比率と、前記第２の分配比率と、前記希望分配額と、に基づいて、前記第１の分配比率を設定する第１分配比率設定部と、を更に備える、前記（１）〜（７）のいずれか１項に記載の情報処理装置。
（９）前記分配額算出部が前記分配額を算出する条件である分配条件をユーザが入力する分配条件入力画面の表示を制御する分配条件入力画面表示制御部、を更に備え、前記分配条件入力画面表示制御部は、前記寄付金額についての寄付金額情報と、前記第１の分配比率についての第１分配比率情報と、前記第２の分配比率についての第２分配比率情報と、前記分割比率についての分割比率情報と、の少なくともいずれかの情報を含む分配条件情報を、前記分配条件入力画面に表示させる、前記（１）〜（８）のいずれか１項に記載の情報処理装置。
（１０）前記分配条件入力画面表示制御部は、算出された前記分配額についての分配額情報を前記分配条件入力画面に更に表示させ、前記分配額情報は、前記分配条件情報に基づいて更新される、前記（９）に記載の情報処理装置。
（１１）ユーザによる操作入力についての操作情報に基づいて、ユーザの希望分配額を前記各クリエイタへの分配額として仮に設定する希望分配額設定部、を更に備え、前記分配条件情報は、前記希望分配額についての希望分配額情報を含み、前記分配条件入力画面表示制御部は、前記希望分配額情報を前記分配条件入力画面に更に表示させる、前記（９）又は（１０）に記載の情報処理装置。
（１２）前記分配条件入力画面表示制御部は、前記分配条件入力画面において、前記分配条件情報及び算出された前記分配額についての分配額情報を表の形式で表示させる、前記（９）〜（１１）のいずれか１項に記載の情報処理装置。
（１３）前記分配条件入力画面表示制御部は、前記分配条件入力画面において、前記コンテンツと前記クリエイタとの関連性についての情報を少なくとも含む作品権利情報を、前記コンテンツ及び前記クリエイタの関連性を表す樹形図の形式で更に表示させる、前記（９）〜（１２）のいずれか１項に記載の情報処理装置。
（１４）前記樹形図では、前記コンテンツを表すコンテンツアイコン及び前記クリエイタを表すクリエイタアイコンがノードに対応する部分に表示され、関連性を有する前記コンテンツアイコンと前記クリエイタアイコンとの間にリンクが表示される、前記（１３）に記載の情報処理装置。
（１５）前記樹形図においては、前記クリエイタへの分配額についての分配額情報が、前記クリエイタアイコンと関連付けて表示される、前記（１４）に記載の情報処理装置。
（１６）ユーザによる操作入力についての操作情報に基づいて、ユーザの希望分配額を前記各クリエイタへの分配額として仮に設定する希望分配額設定部、を更に備え、前記樹形図においては、前記希望分配額を入力するための希望分配額入力欄が、前記クリエイタアイコンと関連付けて表示される、前記（１４）又は（１５）に記載の情報処理装置。
（１７）前記樹形図においては、前記クリエイタアイコン及び前記クリエイタアイコンに対して表示される前記リンクが、前記クリエイタへの分配額に応じた大きさで表示される、前記（１４）〜（１６）のいずれか１項に記載の情報処理装置。
（１８）前記クリエイタアイコンは、前記クリエイタへの分配額が大きいほど大きく表示され、前記リンクは、前記クリエイタへの分配額が大きいほど太く表示される、前記（１７）に記載の情報処理装置。
（１９）コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割することと、前記第１の部分に対応する金額、前記第２の部分に対応する金額、前記第１の分配比率及び前記第２の分配比率に基づいて、前記寄付金額の前記クリエイタの各々への分配額をプロセッサにより算出することと、を含む、情報処理方法。
（２０）コンピュータに、コンテンツに関連付けられた複数のクリエイタに対する寄付金額を、所定の分割比率に基づいて、第１の分配比率に基づいて分配される第１の部分と、第２の分配比率に基づいて分配される第２の部分と、に分割する機能と、前記第１の部分に対応する金額、前記第２の部分に対応する金額、前記第１の分配比率及び前記第２の分配比率に基づいて、前記寄付金額の前記クリエイタの各々への分配額を算出する機能と、を実現させるための、プログラム。
【符号の説明】
【０１４７】
１０    クリエイタ端末
２０    ユーザ端末
３０    コンテンツ共有サーバ
４０、４０ａ    調停サーバ
４１０    記憶部
４２０、４２０ａ    制御部
４２１、４２１ａ    分配条件設定部
４２２    分割比率設定部
４２３    第２分配比率設定部
４２４    寄付金額設定部
４２５、４２５ａ    第１分配比率設定部
４２６    希望分配額設定部
４２７    寄付金額分割部
４２８    分配額算出部
４２９    分配条件入力画面表示制御部
【図１】
2015049751.tif 000003
【図２】
2015049751.tif 000004
【図３】
2015049751.tif 000005
【図４】
2015049751.tif 000006
【図５】
2015049751.tif 000007
【図６Ａ】
2015049751.tif 000008
【図６Ｂ】
2015049751.tif 000009
【図７】
2015049751.tif 000010
【図８】
2015049751.tif 000011
【図９】
2015049751.tif 000012
【図１０Ａ】
2015049751.tif 000013
【図１０Ｂ】
2015049751.tif 000014
【図１１】
2015049751.tif 000015